(57)【要約】【課題】天井吊り下げ型の室内機において、空気吹出口（75）から吹き出される調和空気が室内を循環しやすくなるようにする。【解決手段】ケーシング（33）内の熱交換器（31）から空気吹出口（75）へ向かって延びる吹出通路（73）の端部のうち、空気が流入する熱交換器（31）側の端部の下端を第１下端（76）とし、空気が流出する空気吹出口（75）側の端部の下端を第２下端（77）とすると、第２下端（77）の高さを第１下端（76）よりも低くする。風向調節羽根（85）を、空気吹出口（75）から吹き出される空気の風向を水平よりも上向きに調整可能にする。【選択図】図８
2020085401.tif 000002
【特許請求の範囲】
【請求項１】
複数の側板（34）を有し、該側板（34）の１つに空気吹出口（75）が形成されたケーシング（33）と、
上記ケーシング（33）内に配置される熱交換器（31）と、
上記熱交換器（31）を通過させた空気を上記空気吹出口（75）からケーシング（33）の側方へ吹き出すファン（32）と、
上記空気吹出口（75）に設けられた風向調節羽根（85）と、
を備えた天井吊り下げ型の空気調和装置の室内機であって、
上記熱交換器（31）から上記空気吹出口（75）へ向かって延びる吹出通路（73）を備え、
上記吹出通路（73）の端部のうち、空気が流入する上記熱交換器（31）側の端部の下端を第１下端（76）とし、上記吹出通路（73）の端部のうち、空気が流出する上記空気吹出口（75）側の端部の下端を第２下端（77）とすると、高さ方向において上記第１下端（76）よりも上記第２下端（77）が下方に位置し、
上記風向調節羽根（85）は、上記吹出通路（73）から流出する空気の風向を水平よりも上向きに調整可能である
ことを特徴とする天井吊り下げ型の空気調和装置の室内機。
【請求項２】
請求項１において、
上記吹出通路（73）は、該吹出通路（73）の底部に位置する底面部（78）を有し、
上記底面部（78）は、上記吹出通路（73）の空気流れ方向の下流側に下流底部（78a）を有し、
上記第２下端（77）は、高さ方向において上記下流底部（78a）の最下端と同じ高さまたは該下流底部（78a）よりも上方に位置する
ことを特徴とする天井吊り下げ型の空気調和装置の室内機。
【請求項３】
請求項１または２において、
上記吹出通路（73）は、該吹出通路（73）の底部に位置する底面部（78）と、該底面部（78）に対向する上面部（79）とを有し、
上記底面部（78）及び／または上面部（79）の少なくとも一部は、空気の流入側から流出側へ向かって湾曲する湾曲面により構成されている
ことを特徴とする天井吊り下げ型の空気調和装置の室内機。
【請求項４】
請求項１から３の何れか１つにおいて、
上記ケーシング（33）内に、上記熱交換器（31）で発生するドレン水を受けるドレンパン（35）を備え、
上記吹出通路（73）は、上記ドレンパン（35）の外縁（37）より空気流れ方向の下流側に配置されている
ことを特徴とする天井吊り下げ型の空気調和装置の室内機。
【請求項５】
請求項１から４の何れか１つにおいて、
上記風向調節羽根（85）は、風向を水平よりも上向きに調整する状態での上面が、平坦な面である
ことを特徴とする天井吊り下げ型の空気調和装置の室内機。
【請求項６】
請求項１から５の何れか１つにおいて、
上記風向調節羽根（85）は、上記吹出通路（73）の空気流れ方向と交差し、かつ鉛直方向と交差する方向へ延びる複数の羽根部材（86）を有し、
上記複数の羽根部材（86）が上下に配置されている
ことを特徴とする天井吊り下げ型の空気調和装置の室内機。
【請求項７】
請求項１から６の何れか１つにおいて、
上記風向調節羽根（85）が風向を水平よりも上向きに調整可能な角度範囲は、水平を０°とすると、０°より大きく１０°以下である
ことを特徴とする天井吊り下げ型の空気調和装置の室内機。
【請求項８】
請求項１から７の何れか１つにおいて、
上記吹出通路（73）を構成する壁面は、空気流れ方向の下流側開口部分の上部が下向きに張り出す張り出し部（80a）を有し、
上記張り出し部（80a）は、上記吹出通路（73）の空気流れ方向と交差し、かつ鉛直方向と交差する方向へ延びている
ことを特徴とする天井吊り下げ型の空気調和装置の室内機。
【請求項９】
請求項１から８の何れか１つにおいて、
上記ケーシング（33）には、上記空気吹出口（75）が形成された側板（81）と対向する側板（56）に空気吸込口（60）が形成されている
ことを特徴とする天井吊り下げ型の空気調和装置の室内機。
【請求項１０】
請求項１から９の何れか１つにおいて、
上記ケーシング（33）は、
上記熱交換器（31）及び上記ファン（32）が設けられる第１ケーシング（51）と、
上記吹出通路（73）及び上記空気吹出口（75）を有し、上記第１ケーシング（51）に装着される第２ケーシング（71）と、を備えている
ことを特徴とする天井吊り下げ型の空気調和装置の室内機。
【発明の詳細な説明】
【技術分野】
【０００１】
本開示は、空気調和装置の室内機に関するものである。
【背景技術】
【０００２】
空気調和装置の室内機（以下、単に室内機ともいう）には、室内空気を吸い込む吸込口と、調和空気を室内に吹き出す空気吹出口とが形成されたケーシングを備えた天井吊り下げ型のものが知られている（例えば、特許文献１参照）。この室内機では、ケーシングの後部の底面に空気吸込口が形成され、前面に空気吹出口が形成されている。ケーシング内には、空気吸込口と空気吹出口の間に、ファンと熱交換器が順に配置されている。
【先行技術文献】
【特許文献】
【０００３】
【特許文献１】特開２０１０−２４９４４７号公報
【発明の概要】
【発明が解決しようとする課題】
【０００４】
特許文献１の室内機では、空気流れ方向における熱交換器の直後に位置する空気吹出口に、空気の流れ方向に向かって下向きに湾曲した風向調節羽根が設けられ、空気を斜め下方へ吹き出すように構成されている。この構成では、吹出角度を調整可能範囲の上限に設定しても、空気が室内機の遠くに到達し難い。そのため、調和空気が室内を循環し難い。
【０００５】
本開示の目的は、より広範囲に空気を吹き出すことができ、空気吹出口から吹き出される調和空気が室内を循環しやすい天井吊り下げ型の室内機を提供することである。
【課題を解決するための手段】
【０００６】
本開示の態様において、室内機の構成要素の方向を表す用語や位置を表す用語は、室内機を空調の対象空間に設置した状態の方向や位置を表すものとする。
【０００７】
本開示の第１の態様は、
複数の側板（34）を有し、該側板（34）の１つに空気吹出口（75）が形成されたケーシング（33）と、
上記ケーシング（33）内に配置される熱交換器（31）と、
上記熱交換器（31）を通過させた空気を上記空気吹出口（75）からケーシング（33）の側方へ吹き出すファン（32）と、
上記空気吹出口（75）に設けられた風向調節羽根（85）と、
を備えた天井吊り下げ型の空気調和装置の室内機を前提とする。
【０００８】
この天井吊り下げ型の空気調和装置の室内機は、
上記熱交換器（31）から上記空気吹出口（75）へ向かって延びる吹出通路（73）を備え、
上記吹出通路（73）の端部のうち、空気が流入する上記熱交換器（31）側の端部の下端を第１下端（76）とし、上記吹出通路（73）の端部のうち、空気が流出する上記空気吹出口（75）側の端部の下端を第２下端（77）とすると、高さ方向において上記第１下端（76）よりも上記第２下端（77）が下方に位置し、
上記風向調節羽根（85）は、上記吹出通路（73）から流出する空気の風向を水平よりも上向きに調整可能である
ことを特徴とする。
【０００９】
第１の態様では、空気の流れ方向における熱交換器（31）の下流側に吹出通路（73）が設けられているので、熱交換器（31）から流出した空気が拡散せずに、吹出通路（73）で整流される。また、この第１の態様では、吹出通路（73）で整流された空気の吹出方向が風向調節羽根（85）で調節される。空気流れ方向における熱交換器（31）の直後に風向調節羽根（85）を設けると、拡散する空気の流れ方向を調節し難いのに対して、第１の態様では、吹出通路（73）で空気を整流してから吹出方向を風向調節羽根（85）で調節するため、風向を調節しやすくなる。
【００１０】
第１の態様では、吹出通路（73）の第２下端（77）を第１下端（76）よりも低くしており、吹出通路（73）が下方へ向かって延びているので、天井吊り下げ型の室内機において、空気を空気吹出口（75）から下向きに吹き出すことができるのに加え、風向調節羽根（85）の角度を調節することにより空気を上向きに吹き出すこともできる。そして、空気を上向きに吹き出すことにより、より広範囲に空気を吹き出すことができ、調和空気が室内機から遠くまで到達しやすくなって、室内を循環しやすくなる。
【００１１】
本開示の第２の態様は、第１の態様において、
上記吹出通路（73）は、該吹出通路（73）の底部に位置する底面部（78）を有し、
上記底面部（78）は、上記吹出通路（73）の空気流れ方向の下流側に下流底部（78a）を有し、
上記第２下端（77）は、高さ方向において上記下流底部（78a）の最下端と同じ高さまたは該下流底部（78a）よりも上方に位置する
ことを特徴とする。
【００１２】
この構成において、「下流底部（78a）」は、吹出通路（73）の底面部のうち、空気流れ方向の下流側の開口端部を含む所定の範囲に位置する部分である。
【００１３】
第２の態様では、第１下端（76）よりも第２下端（77）が下方に位置し、且つ、吹出通路（73）の底面部（78）のうち、空気流れ方向の下流側の部分である下流底部（78a）の最下端と第２下端（77）の高さが、同じかまたは第２下端（77）の高さが高い。この構成により、吹出通路（73）の底面部（78）に沿って流れる空気は、吹出通路（73）を下向きに流れてから、上記最下端を通過すると水平または上向きへ流れ方向を変えて吹き出される。この構成によれば、吹出通路（73）から流出する空気の風向を水平よりも上向きに調整可能な風向調節羽根（85）と相まって、空気の吹出方向を上向きで安定しやすい。そのため、調和空気が室内機から遠くまで到達しやすくなって調和空気が室内を循環しやすくなる。
【００１４】
本開示の第３の態様は、第１または第２の態様において、
上記吹出通路（73）は、該吹出通路（73）の底部に位置する底面部（78）と、該底面部（78）に対向する上面部（79）とを有し、
上記底面部（78）及び／または上面部（79）の少なくとも一部は、空気の流入側から流出側へ向かって湾曲する湾曲面により構成されている
ことを特徴とする。
【００１５】
第３の態様では、底面部（78）及び／または上面部（79）の少なくとも一部を湾曲面にすることにより、空気の流れが円滑になる。この構成によって、吹出通路（73）における整流効果を高められる。
【００１６】
本開示の第４の態様は、第１から第３の態様の何れか１つにおいて、
上記ケーシング（33）内に、上記熱交換器（31）で発生するドレン水を受けるドレンパン（35）を備え、
上記吹出通路（73）は、上記ドレンパン（35）の外縁（37）より空気流れ方向の下流側に配置されている
ことを特徴とする。
【００１７】
第４の態様では、熱交換器（31）を通った空気がドレンパン（35）の外縁（37）を通過してから吹出通路（73）に流入する。この構成によれば、熱交換器（31）の下流側で空気を吹出通路（73）により整流できる。
【００１８】
また、吹出通路（73）の空気流れ方向の上流側の一部が、その空気流れ方向においてドレンパン（35）の外縁（37）より上流側に位置していると、両者の一部が平面視で重なる。その場合、吹出通路（73）とドレンパン（35）とを室内機の高さ方向にずらすために、室内機の高さ寸法が高くなるおそれがある。これに対して、第４の態様では、吹出通路（73）とドレンパン（35）とを室内機の高さ方向にずらすことは不要であり、室内機の高さ寸法を低く抑えられる。
【００１９】
本開示の第５の態様は、第１から第４の態様の何れか１つにおいて、
上記風向調節羽根（85）は、風向を水平よりも上向きに調整する状態での上面が、平坦な面である
ことを特徴とする。
【００２０】
風向調節羽根（85）が空気の流れに沿って下向きに湾曲していると、吹出通路（73）から吹き出される空気を下向きには角度調節しやすいが、上向きに空気を吹き出し難くなる。第５の態様では、風向調節羽根（85）は、風向を水平よりも上向きに調整する状態での上面が、平坦な面である。そのため、この風向調節羽根（85）では、吹出通路（73）から吹き出される空気を下向き及び上向きのいずれにするのも容易である。具体的には、風向調節羽根（85）を下向きに角度調整すると、吹出通路（73）を第１下端（76）から第２下端（77）へ流れる空気を、下向きに吹き出すことができる。風向調節羽根（85）を上向きに角度調整すると、吹出通路（73）を第１下端（76）から第２下端（77）へ流れる空気が、風向調節羽根（85）の平坦な上面に乗って上向きに方向を変えやすい。よって、風向調節羽根（85）により、風向を下向きにも上向きにも容易に調整できる。
【００２１】
本開示の第６の態様は、第１から第５の態様の何れか１つにおいて、
上記風向調節羽根（85）は、上記吹出通路（73）の空気流れ方向と交差し、かつ鉛直方向と交差する方向へ延びる複数の羽根部材（86）を有し、
上記複数の羽根部材（86）が上下に配置されている
ことを特徴とする。
【００２２】
第６の態様では、上下に配置された複数の羽根部材（86）を用いることにより、吹出通路（73）の下部から上部にわたって風向を調節できる。また、４〜５枚程度の複数の羽根部材（86）を用いると、羽根部材（86）の枚数が１枚などで少ない場合よりも、風向を調節しやすくなる。
【００２３】
本開示の第７の態様は、第１から第６の態様の何れか１つにおいて、
上記風向調節羽根（85）が風向を水平よりも上向きに調整可能な角度範囲は、水平を０°とすると、０°より大きく１０°以下である
ことを特徴とする。
【００２４】
第７の態様では、風向調節羽根（85）により、吹出通路（73）から吹き出される空気の方向を、水平から、上向きに１０°の範囲で調節できる。吹出角度が１０°を超えて大きくなると、急角度になりすぎて逆に空気が室内機から遠くへ届き難くなり、室内を調和空気が循環し難くなるのに対し、第７の態様ではそのような問題が生じるのを抑えられる。また、上記角度範囲が０°より大きく１０°以下であるため、吹き出された空気が室内の天井に当たり難い。吹き出された空気が室内の天井に当たると天井が汚れやすいが、この第７の態様によれば、天井の汚れを抑えられる。
【００２５】
本開示の第８の態様は、第１から第７の態様の何れか１つにおいて、
上記吹出通路（73）を構成する壁面は、空気流れ方向の下流側開口部分の上部が下向きに張り出す張り出し部（80a）を有し、
上記張り出し部（80a）は、上記吹出通路（73）の空気流れ方向と交差し、かつ鉛直方向と交差する方向へ延びている
ことを特徴とする。
【００２６】
第８の態様では、吹出通路（73）の上部から吹き出される空気が、張り出し部（80a）に沿って湾曲して下方向へ流れやすくなる。したがって、空気吹出口（75）から下方へ空気を吹き出す場合に、空気の流れが安定する。
【００２７】
本開示の第９の態様は、第１から第８の態様の何れか１つにおいて、
上記ケーシング（33）には、上記空気吹出口（75）が形成された側板（81）と対向する側板（56）に空気吸込口（60）が形成されている
ことを特徴とする。
【００２８】
第９の態様では、ケーシング（33）には、互いに対向する側板（81），（56）に空気吹出口（75）と空気吸込口（60）が形成される。空気吸込口（60）から吸い込まれた空気が、対向する側板（81）の空気吹出口（75）へ流れてケーシング（33）から吹き出される。第９の態様では、ケーシング（33）内を空気が一方向へ流れるため、空気がケーシング（33）の内部で抵抗を受け難くなって、ケーシング（33）内を流れやすくなる。
【００２９】
本開示の第１０の態様は、第１から第９の態様の何れか１つにおいて、
上記ケーシング（33）は、
上記熱交換器（31）及び上記ファン（32）が設けられる第１ケーシング（51）と、
上記吹出通路（73）及び上記空気吹出口（75）を有し、上記第１ケーシング（51）に装着される第２ケーシング（71）と、を備えている
ことを特徴とする。
【図面の簡単な説明】
【００３０】
【図１】図１は、空気調和装置の構成を概略的に示す冷媒回路図である。
【図２】図２は、実施形態の室内機を前面側の斜め上方から見た斜視図である。
【図３】図３は、室内機の平面図である。
【図４】図４は、図３のIV−IV線断面図である。
【図５】図５は、吹出ユニットを前方斜め上から見た斜視図である。
【図６】図６は、図５のVI−VI線断面図である。
【図７】図７は、吹出ユニットを背面側の斜め上方から視た部分断面斜視図である。
【図８】図８は、吹出通路の概略断面形状と風向調節羽根の動作を示す断面図である。
【図９】図９は、羽根部材の形状を示す拡大断面斜視図である。
【図１０】図１０は、実施形態１の変形例１に係る吹出通路の概略形状を示す断面図である。
【図１１】図１１は、実施形態１の変形例２に係る吹出通路の概略形状を示す断面図である。
【図１２】図１２は、実施形態１の変形例３に係る室内機の断面図である。
【図１３】図１３は、実施形態２に係る室内機を前面側の斜め上方から見た斜視図である。
【図１４】図１４は、図１３のXIV−XIV線断面図である。
【発明を実施するための形態】
【００３１】
《実施形態１》
実施形態１について説明する。本実施形態の空気調和装置（10）は、室内機（30）とこれに接続される室外機（20）とを備え、空調の対象である室内空間の空気調和を行うものである。なお、本明細書において、「上」、「下」、「右」、「左」、「横」、「天板」、「底板」、「側板」、「前面」、「背面」等の方向や位置を示す用語は、いずれも設置状態の室内機（30）を正面側（前面側）から見たときの方向や位置を意味する。また、本明細書において、「対向」は、側板同士などが向かい合っていることを意味するが、平行であることまでは意味しない。
【００３２】
−空気調和装置−
図１〜図９を参照して、空気調和装置（10）について説明する。
【００３３】
図１に示すように、空気調和装置（10）は、室内機（30）と、室外機（20）とを備える。空気調和装置（10）では、圧縮機（21）、四方切換弁（22）、室外熱交換器（23）、膨張弁（24）、および室内熱交換器（31）が冷媒配管で接続され、蒸気圧縮冷凍サイクルを行う冷媒回路（11）が構成されている。
【００３４】
冷媒回路（11）は、室外回路（12）と、室内回路（13）と、液側の第１連絡配管（14）と、ガス側の第２連絡配管（15）とを備えている。第１連絡配管（14）は、室外回路（12）の第１閉鎖弁（16）と室内回路（13）の第１配管継手（18）に接続されている。第２連絡配管（15）は、室外回路（12）の第２閉鎖弁（17）と室内回路（13）の第２配管継手（19）に接続されている。
【００３５】
〈室内機の概略構成〉
室内機（30）は、空気調和の対象である室内空間に設置されるものであって、室内熱交換器（31）と、室内ファン（32）と、ドレンパン（35）とを有する。
【００３６】
室内熱交換器（31）は、内部を流れる冷媒と室内ファン（32）によって供給される室内空気とを熱交換させるものである。室内熱交換器（31）は、例えばフィンアンドチューブ熱交換器によって構成されている。室内熱交換器（31）は、本開示の熱交換器を構成している。
【００３７】
室内ファン（32）は、室内熱交換器（31）に室内空気を供給し、室内熱交換器（31）を通過した空気をさらに室内空間へ供給するためのものである。室内ファン（32）は、本開示のファンを構成している。
【００３８】
〈室外機の概略構成〉
室外機（20）は、室外に設置されるものであって、圧縮機（21）と、四方切換弁（22）と、室外熱交換器（23）と、室外ファン（25）と、膨張弁（24）と、液側の第１閉鎖弁（26）と、ガス側の第２閉鎖弁（27）とを有する。
【００３９】
圧縮機（21）は、室内熱交換器（31）および室外熱交換器（23）のうち蒸発器として機能するものから流出した低圧ガス冷媒を吸入し、これを圧縮することで高温の高圧ガス冷媒を吐出するものである。圧縮機（21）が吐出した高圧ガス冷媒は、室内熱交換器（31）および室外熱交換器（23）のうち放熱器として機能するものに流入する。
【００４０】
四方切換弁（22）は、冷媒回路（11）における冷媒の流れを可逆的に切り替えるためのものである。具体的に、四方切換弁（22）は、室内熱交換器（31）が蒸発器となって空気調和装置（10）が冷房運転を行うための第１状態（図１に実線で示す状態）と、室内熱交換器（31）が放熱器となって空気調和装置（10）が暖房運転を行うための第２状態（図１に破線で示す状態）とに切換可能である。
【００４１】
室外熱交換器（23）は、内部を流れる冷媒と室外ファン（25）によって供給される室外空気とを熱交換させるものである。室外熱交換器（23）は、例えばフィンアンドチューブ熱交換器によって構成されている。
【００４２】
室外ファン（25）は、室外熱交換器（23）に室外空気を供給するためのものである。
【００４３】
膨張弁（24）は、室内熱交換器（31）および室外熱交換器（23）のうち放熱器として機能するものから流出した冷媒を減圧するためのものである。膨張弁（24）は、例えば開度調節可能な電子膨張弁によって構成されている。
【００４４】
〈室内機の具体構成〉
本実施形態の室内機（30）は、天井吊り下げ型であって、室内空間の天井付近に設置される。ここでは、本実施形態の室内機（30）について、図２〜図４を適宜参照しながら説明する。
【００４５】
図２〜図４に示すように、室内機（30）は、全体として扁平な直方体状に形成される。この室内機（30）は、一つの本体ユニット（50）と、一つの吹出ユニット（70）と、一対の化粧カバー（91，92）とを備える。本体ユニット（50）には、室内空間の空気を本体ユニット（50）の中へ吸い込むための空気吸込口（60）が形成されている。吹出ユニット（70）には、室内熱交換器（31）を通過させた調和空気を室内機（30）の側方（前方）へ吹き出して室内空間に供給するための空気吹出口（75）が形成されている。
【００４６】
後述するように、本体ユニット（50）は第１ケーシング（51）を有し、吹出ユニット（70）は第２ケーシング（71）を有している。互いに別体の第１ケーシング（51）と第２ケーシング（71）とにより、本実施形態の室内機（30）の全体ケーシング（33）が構成されている。
【００４７】
全体ケーシング（33）は、複数の側板（34）を有し、そのうち、空気吸込口（60）が設けられた側板（34）と空気吹出口（75）が設けられた側板（34）とが対向している。本開示において、全体ケーシング（33）は、単にケーシングとも表記する。また、本開示では、第１ケーシングの天板、底板、及び側板を、「第１天板、第１底板、第１側板」のように表記し、全体ケーシングの天板、底板、及び側板と区別する（符号省略）。
【００４８】
〈本体ユニット〉
本体ユニット（50）は、直方体形状の第１ケーシング（51）を有する。第１ケーシング（51）は、図示しないフレーム、フレームに取り付けられる第１天板（52）、第１底板（53）、及び第１天板（52）と第１底板（53）との間に配置された複数の第１側板（54）を有する。第１天板（52）は、室内機（30）の据付状態において第１ケーシング（51）の上面を構成する板状部材であり、ケーシング（33）の天板（34a）の一部を構成する。第１底板（53）は、室内機（30）の据付状態において第１ケーシング（51）の下面を構成する板状部材であり、ケーシング（33）の底板（34b）の一部を構成する。本体ユニット（50）の四つの第１側板（54）は、平面視で長辺に沿った一対の側面の一方が前面となって他方が背面となり、平面視で短辺に沿った一対の側面の一方が右側面となって他方が左側面となる。
【００４９】
本体ユニット（50）の第１側板（54）は、室内機（30）の据付状態において前面側に位置する第１前面パネル（55）と、背面側に位置する第１背面パネル（56）と、右側面に位置する第１右パネル（57）と、左側面（52）に位置する第１左パネル（58）とを備える。第１背面パネル（56）と第１前面パネル（55）は互いに対向している。第１右パネル（57）と第１左パネル（58）は互いに対向している。
【００５０】
図４において、この本体ユニット（50）では、第１背面パネル（56）に空気吸込口（60）が設けられ、第１背面パネル（56）に対向する第１前面パネル（55）に空気流出口（59）が設けられている。本体ユニット（50）の内部には、空気吸込口（60）から空気流出口（59）に至る空気通路（61）が形成される。本体ユニット（50）内の空気通路（61）には、室内熱交換器（31）と室内ファン（32）とドレンパン（35）とが収容される。空気通路（61）では、空気吸込口（60）と空気流出口（59）の間において、室内熱交換器（31）が室内ファン（32）よりも風下側に配置される。
【００５１】
室内熱交換器（31）は、本体ユニット（50）の左右方向に延びるように設けられている。室内熱交換器（31）は、図４に示すように、側面視で傾いたＬ字状になるように２つの熱交換面が互いに角度をなして配置された構成である。
【００５２】
図４に示すように、ドレンパン（35）は、第１ケーシング（51）の内部に設けられ、第１底板（53）の上方に配置されている。ドレンパン（35）は、発泡樹脂で形成され、上記室内熱交換器（31）で発生するドレン水（凝縮水）を受けるものである。ドレンパン（35）は、ドレン水を受ける面を上方から見て長方形のドレンパン底部（36）と、ドレンパン底部（36）の外縁となる部分に形成された立ち上げ部（37）とを有する。ドレンパン底部（36）の外縁は、ドレンパン底部（36）の外周に沿った縁の部分のことである。
【００５３】
〈吹出ユニット〉
図２〜図５に示すように、吹出ユニット（70）は、外形が横長直方体状に形成され、本体ユニット（50）の前面に装着される。吹出ユニット（70）は第２ケーシング（71）を有し、第２ケーシング（71）は、その背面が本体ユニット（50）の第１前面パネル（55）と接するように第１ケーシング（51）に取り付けられる。
【００５４】
図４，図５に示すように、吹出ユニット（70）の内部には、吹出通路（73）が形成された通路部材（72）が設けられる。吹出ユニット（70）には、該第２ケーシング（71）の背面側に、第１ケーシング（51）の空気流出口（59）に連通して調和空気が通過する空気入口（74）が形成される。吹出ユニット（70）には、上記背面と対向する前面（81a）を有する前面部材（81）に、調和空気を吹き出すための空気吹出口（75）が形成されている。
【００５５】
〈吹出通路〉
図４，図６〜図８において、吹出通路（73）は、室内熱交換器（31）及び空気入口（74）から空気吹出口（75）へ向かって、全体として斜め下方へ延びる通路であり、発泡樹脂からなる上記通路部材（72）に形成されている。吹出通路（73）の空気流れ方向の上流側の端部に空気入口（74）が形成され、下流側の端部に空気吹出口（75）が形成される。吹出通路（73）は、その全体が、ドレンパン（35）の外縁である立ち上げ部（37）より空気流れ方向の下流側に配置されている。
【００５６】
図８に示すように、上記吹出通路（73）は、室内熱交換器（31）側の開口端部である空気入口（74）の下端の第１下端（76）と、空気吹出口（75）側の開口端部の下端の第２下端（77）とを有する。第２下端は、高さ方向において、第1下端（76）よりも下方に位置する。吹出通路（73）は、室内熱交換器（31）及び空気入口（74）から空気吹出口（75）へ向かって、全体として緩やかに斜め下方へ延び、第1下端（76）と第２下端（77）の間にΔｈの高低差を有する。
【００５７】
吹出通路（73）は、室内機（30）の設置状態において該吹出通路（73）の底部に位置する底面部（78）と、上記底面部（78）に対向する上面部（79）とを有している。吹出ユニット（70）を背面側から視た部分断面斜視図である図７に示すように、吹出通路（73）は、開口形状ないし空気流れ方向に概ね垂直の断面形状が長方形であり、底面部（78）と上面部（79）との間に２つの側面（82）を有する。図６，図7は、一方の側面（82）のみを示す。
【００５８】
底面部（78）と上面部（79）のうち、上面部（79）の空気入口側の端部は曲面により構成されている。このように、底面部（78）及び／または上面部（79）の少なくとも一部は、空気の流入側から流出側へ向かって湾曲する湾曲面により構成される。
【００５９】
吹出通路（73）の底面部（78）には、空気吹出口（75）側の端部に、空気吹出口（75）の開口面積を広げる方向に傾斜する段付きの傾斜部（83）が形成されている。また、吹出通路（73）の底面部（78）には、その傾斜部（83）側の端部に、水平な吹出面（84a）が形成されている。ここでいう「水平」には、鉛直面に対して直角である場合の他に、吹出面（84a）がわずかに傾斜する状態も含まれるものとする。
【００６０】
〈風向調節羽根〉
空気吹出口（75）には、合成樹脂で形成された複数（本実施形態では４枚）の羽根部材（86）からなる風向調節羽根（85）が設けられる。各羽根部材（86）は、細長い長方形の板状の部材である。各羽根部材（86）は、その長手方向が概ね水平となる姿勢で、空気吹出口（75）を左右に横断するように配置される（図２，図５〜図７を参照）。ここで、「概ね水平」は、空気流れ方向と直交し、鉛直方向とも直交する方向を表すが、若干傾斜する方向を含んでもよい。また、ここでいう「直交」は、必ずしも直角のみでなく、わずかに傾斜する状態も含む。４枚の羽根部材（86）は、上下方向に等間隔で配置される。各羽根部材（86）は、その長手方向の両端部が、第２ケーシング（71）の側面（82）に回転可能に支持される。各羽根部材（86）は、それぞれの長手方向に沿って延びる回転軸（C）を中心として、所定の角度範囲で回転可能である。風向調節羽根（85）は、室内機（30）が運転されていない状態で空気吹出口（75）を閉塞する。ここでいう「閉塞」は、若干の隙間が形成される状態でもよい。
【００６１】
吹出ユニット（70）において、各羽根部材（86）を風向調節用モータ（図示せず）によって駆動すると、図８に示すように各羽根部材（86）が回転軸（C）を中心として回転し、各羽根部材（86）の角度が変化する。各羽根部材（86）は、吹出通路（73）から吹き出される空気を案内する。このため、各羽根部材（86）の角度が変化すると、吹出通路（73）から吹き出される空気の向きが上下方向に変化する。
【００６２】
各羽根部材（86）は、吹出通路（73）から流出する空気の方向を、室内機（30）を設置した状態で水平よりも下向きの所定角度から上向きの所定角度までの範囲内で、調整可能に構成されている。この実施形態では、各羽根部材（86）が風向を水平よりも上向きに調整可能な角度範囲θ１は、水平を０°とすると、０°より大きく１０°以下である。各羽根部材（86）は、上述したように風向を水平より下向きにも調整可能に構成され、その角度範囲θ２は０°から５５°に設定されている。
【００６３】
図９に、羽根部材（86）の断面形状を示す。図示するように、各羽根部材（86）は、表裏が湾曲した面ではなく、表裏が平坦な面になった板状部材で形成されている。各羽根部材（86）の表裏の面は、空気吹出口（75）から空気を水平よりも上向きの角度で吹き出す状態で、各羽根部材（86）の上面と下面になる。そのため、各羽根部材（86）を上向きの吹き出し角度に設定した状態で、各羽根部材（86）の上面と下面の両方が湾曲していない平坦な面になる。なお、本開示では、各羽根部材（86）の上面が平坦であればよい。各羽根部材（86）の上下の縁部は、空気吹出口（75）を閉じたときに、隣り合う羽根部材（86）同士が重なる傾斜面（86a）で形成される。
【００６４】
各羽根部材（86）には、空気吹出口（75）を閉じたときの背面に、羽根部材（86）の長手方向へ平行に延びる複数の微細な溝（87）が形成されている。溝（87）が形成された面は、空気吹出口（75）を開いたときに下面となる。従って、室内機（30）の冷房運転時に羽根部材（86）に結露水が付着しても、結露水は各溝（87）に保持される。この実施形態では、空気吹出口（75）を開いた状態の各羽根部材（86）の下面に複数の微細な溝（87）が設けられていることになる。
【００６５】
風向調節羽根（85）は、３枚以下の羽根部材（86）で構成してもよいし、５枚以上の羽根部材（86）で構成してもよい。また、羽根部材（86）の溝（87）は凹凸形状であれば平行な溝でなくてもよく、羽根部材（86）の両面に形成したり、図９とは反対の面にだけ形成したりすることもできる。
【００６６】
〈化粧カバー〉
化粧カバー（91，92）は、細長い直方体形の箱状の部材である。化粧カバー（91，92）は、長辺側の側面の一方と背面とが開口している。また、化粧カバー（91，92）の長さは、本体ユニット（50）の背面から吹出ユニット（70）の前面までの長さと概ね等しい。
【００６７】
化粧カバー（91，92）は、開口した側面が本体ユニット（50）側を向く姿勢で本体ユニット（50）に取り付けられ、本体ユニット（50）の側面と吹出ユニット（70）の側面の両方を覆う。本体ユニット（50）の右側に配置された右化粧カバー（91）は、本体ユニット（50）の右パネル（57）と吹出ユニット（70）の右パネルとを覆う。本体ユニット（50）の左側に配置された左化粧カバー（92）は、本体ユニット（50）の左パネル（58）と吹出ユニット（70）の左パネルとを覆う。右化粧カバー（91）及び左化粧カバー（92）は、全体ケーシング（33）の前後方向へスライド可能に構成されている。右化粧カバー（91）及び左化粧カバー（92）は、全体ケーシング（33）への取り付けを、前方から後方へ所定位置までスライドさせることで行い、全体ケーシング（33）からの取り外しを、逆に後方から前方へスライドさせることで行う。
【００６８】
〈運転動作〉
空気調和装置（10）は、冷房運転と暖房運転を選択的に行う。
【００６９】
冷房運転では、四方切換弁（22）が第１状態に設定され、冷媒回路（11）において冷媒が循環する。そして、室外熱交換器（23）が放熱器として機能し、室内熱交換器（31）が蒸発器として機能する。室内機（30）は、室内空間から吸い込んだ空気を室内熱交換器（31）において冷却し、冷却された空気を室内空間へ吹き出す。
【００７０】
暖房運転では、四方切換弁（22）が第２状態に設定され、冷媒回路（11）において冷媒が循環する。そして、室内熱交換器（31）が放熱器として機能し、室外熱交換器（23）が蒸発器として機能する。室内機（30）は、室内空間から吸い込んだ空気を室内熱交換器（31）において加熱し、加熱された空気を室内空間へ吹き出す。
【００７１】
〈運転時の吹出空気の流れ〉
室内機（30）の運転時は、室内ファン（32）を起動することにより、空気吸込口（60）から全体ケーシング（33）の内部へ吸い込まれた空気が、室内熱交換器（31）を通過することで調和空気となる。調和空気は、室内熱交換器（31）を通過した後、吹出通路（73）を通過し、拡散せずに整流される。吹出通路（73）によって整流された吹出空気は、吹出通路（73）の出口側の開口端部に設けられた空気吹出口（75）から、全体ケーシング（33）の前方（側方）へ吹き出される。
【００７２】
風向調節羽根（85）を吹出角度θ１の範囲（例えば上向きに５°）に設定すると、調和空気は風向調節羽根（85）に沿って水平より上向きに吹き出される。その際、吹出通路（73）に沿って緩やかに斜め下方へ流れてきた調和空気は、水平な吹出面（84a）を通過してから風向調節羽根（85）へ移行する。吹出通路（73）の底面部（78）における吹出面（84a）への移行部分（78a），吹出面（84a），及び風向調節羽根（85）の角度が徐々に変化しているので、調和空気はこれらの部分を滑らかに流れ、空気吹出口（75）から吹き出される。各羽根部材（86）が平板状に形成されているので、吹出通路（73）を流れる空気は各羽根部材（86）の上に乗りやすく、流れ方向が滑らかに上向きへ変化する。
【００７３】
空気吹出口（74）から上方へ、例えばθ＝５°（０°よりも大きく１０°以下の角度範囲）で吹き出された調和空気は、室内機（30）から遠くへ離れた位置まで到達する。例えば、室内機（30）の設置される室内空間が空調能力に対して広すぎないものとする。この場合、室内機（30）が部屋の一つの壁面寄りに設置されていると、上記の角度設定をすることにより、調和空気は、室内機（30）が設置されているのと反対側の壁面まで到達しやすくなる。空気は、この壁面に到達すると、壁面に沿って下降する。一方、室内空気は、室内機（30）の背面から全体ケーシング（33）の中へ吸い込まれるので、室内機（30）が設けられている壁面に沿って上昇する。以上のように、室内では、室内機（30）から吹き出された空気が室内機から遠く離れた上記反対側の壁面まで到達する横方向への空気の流れと、室内機（30）が設置されているのと反対側の壁面に沿って下降する空気の流れと、室内機（30）が設置されている側の壁面に沿って上昇する空気の流れが生じる。そのため、空気が室内を循環しやすくなる。その結果、運転時の室内空気の温度が不均一になるのが抑制される。
【００７４】
室内機（30）の運転時には、室内ファン（32）の風量を最大風量に設定すると、調和空気をより遠くまで届かせることができる。したがって、室内で空気が循環する流れを作りやすくなる。そのため、調和空気の吹出方向を上向きにして室内機（30）を運転するときは、室内ファン（32）の風量を最大風量に設定するのが好ましい。
【００７５】
−実施形態１の効果−
本実施形態では、室内機（30）に、室内熱交換器（31）から空気吹出口（75）へ向かって延びる吹出通路（73）を設けている。そして、吹出通路（73）の端部のうち、空気が流入する上記熱交換器（31）側の端部の下端である第１下端（76）よりも、空気が流出する上記空気吹出口（75）側の端部の下端である第２下端（77）が、高さ方向において下方に位置するように構成している。また、室内機（30）に、吹出通路（73）から流出する空気の風向を水平よりも上向きに調整可能な風向調節羽根（85）を設けている。
【００７６】
ここで、空気流れ方向における室内熱交換器（31）の下流側に空気吹出口（75）が位置する構成において、空気を整流する通路を設けずに、その空気吹出口（75）に単に風向調節羽根（85）を設けると、吹出角度を仮に上向きに設定しても、室内空気（31）を通過した空気が拡散しやすい。そうすると、室内空気（31）から吹き出された空気が室内機の遠くに到達し難い。そのため、調和空気が室内を循環し難くなる。
【００７７】
本実施形態においては、空気の流れ方向における室内熱交換器（31）の下流側に吹出通路（73）が設けられているので、室内熱交換器（31）から流出した空気が拡散せずに吹出通路（73）を通過する。空気は第１下端（77）と第２下端（78）の間の吹出通路（73）で整流され、１つの方向へ向かって流れて行く。そして、吹出通路（73）で整流された空気の吹出方向が風向調節羽根（85）で調節される。このように、本実施形態では、吹出通路（73）で空気を整流してから吹出方向を風向調節羽根（85）で調節するため、風向を調節しやすくなる。また、吹出通路（73）の底面部（78）の出口側の端部に水平な吹出面（84a）を形成している。そのため、空気が、吹出面（84a）より上流の下向きの吹出通路（73）、水平な吹出面（84a）、上向きの風向調節羽根（85）の順に流れ、滑らかに上向きに流れ方向が変化する。このようにして、整流された調和空気が上向きに吹き出されるため、調和空気が室内機（30）から遠くまで到達しやすくなって、室内を循環しやすくなる。その結果、空調運転時に室内の温度が不均一になるのを抑制できる。
【００７８】
また、本実施形態によれば、吹出通路（73）の第２下端（77）を第１下端（76）よりも低くしたので、吹出通路（73）は全体として入口側から出口側へ向かって下方へ傾斜する。したがって、天井吊り下げ型の室内機において、風向調節羽根（85）を下向きの吹出角度も調整できるように構成すれば、空気を空気吹出口（75）から下向きに吹き出すことも容易であり、特に、下向きの吹出角度を上向きの吹出角度よりも大きくすることも容易である。
【００７９】
また、本実施形態によれば、吹出通路（73）の上面部の一部を空気の流入側から流出側へ向かって湾曲する湾曲面により構成している。吹出通路（73）を構成する面がすべて平坦面であると、平坦面同士が連接する屈曲した部分が空気の剥離ポイントになってしまうが、湾曲面を用いることにより空気の剥離が生じ難くなり、空気が吹出通路（73）内を滑らかに流れやすくなる。
【００８０】
本実施形態では、吹出通路（73）が、ドレンパン（35）の外縁（37）より空気流れ方向の下流側に配置されている。この構成によれば、熱交換器（31）を通った空気がドレンパン（35）の外縁（37）を通過してから吹出通路（73）に流入する。したがって、熱交換器（31）の下流側で空気を吹出通路（73）により整流しやすくなる。
【００８１】
また、吹出通路（73）の一部が空気流れ方向においてドレンパン（35）の外縁（37）より上流側に位置していると、両者の一部が平面視で重なる。その場合、吹出通路（73）とドレンパン（35）とを室内機（30）の高さ方向にずらすために、室内機（30）の高さ寸法が高くなってしまうおそれがある。これに対して、本実施形態では、吹出通路（73）の全体が、ドレンパン（35）の外縁の立ち上げ部（37）よりも空気流れ方向の下流側に配置されている。この構成により、吹出通路（73）とドレンパン（35）とを室内機（30）の高さ方向にずらす必要がなく、室内機の高さ寸法を低く抑えられる。
【００８２】
ここで、風向調節羽根（85）が、空気吹出口（75）を開いた状態で空気の流れに沿って例えば下向きに湾曲していると、吹出通路（73）から吹き出される空気を下向きに角度調節しやすいが、上向きには空気を吹き出し難くなる。本実施形態では、風向調節羽根（85）が平板状で、空気吹出口（75）を開いた状態での上面と下面がいずれも平坦な面である。この平板状の風向調節羽根（85）を下向きに角度調整すると、吹出通路（73）を第１下端（76）から第２下端（77）へ流れる空気を、上記角度範囲θ２内で下向きに調整して吹き出すことができる。平板状の風向調節羽根（85）を上向きに角度調整すると、吹出通路（73）を流れる空気が、図８に示すように平板状の風向調節羽根（85）の上面に乗って方向を変えやすいので、上向きの角度調整も容易になる。このように、本実施形態によれば、吹出通路（73）から吹き出される空気を下向き及び上向きのいずれにする場合でも、風向調整が容易である。したがって、本実施形態では、通常の運転時は室内機（30）から下向きに調和空気を吹き出し、ある程度の時間が経つと室内の空気を循環させるために室内機（30）から上向きに空気を吹き出す運転を行うことが可能である。
【００８３】
この実施形態では、風向調節羽根（85）が、吹出通路（73）の空気流れ方向と交差し、かつ鉛直方向と交差する方向へ延びる複数の羽根部材（86）を有し、複数の羽根部材（86）が上下に配置されている。この構成によれば、上下に配置された複数の羽根部材（86）を用いることにより、吹出通路（73）の下部から上部にわたって風向を調節できる。また、４枚程度の複数の羽根部材（86）を用いると、少ない枚数の羽根部材（86）を用いる構成と比較して、風向を調節しやすくなる。さらに、この実施形態では、各羽根部材（86）の上下の縁部を、空気吹出口（75）を閉じたときに隣り合う羽根部材（86）同士が重なる傾斜面（86a）で形成している。そのため、空気吹出口（75）の閉鎖時に各羽根部材（86）の間に生じ得る隙間を塞ぐことが可能になり、室内機（30）の美観を高められる。
【００８４】
本実施形態では、風向調節羽根（85）が風向を水平よりも上向きに調整可能な角度範囲は、水平を０°とすると、０°より大きく１０°以下である。ここで、風向調節羽根（85）の角度が１０°を超えて大きくなると、吹出角度が急角度になりすぎて、吹出空気が逆に室内機から遠くへ届き難くなって、室内を調和空気が循環し難くなる。これに対して、本実施形態によれば、風向調節羽根（85）の角度調節範囲を０°より大きく１０°以下の範囲に設定したので、室内を調和空気が循環し難くなるのを抑制できる。
【００８５】
本実施形態では、全体ケーシング（33）の側板（34）のうち、互いに対向する側板である第１背面パネル（56）と前面部材（81）に、それぞれ、空気吸込口（60）と空気吹出口（75）とが形成されている。空気吸込口（60）から吸い込まれた空気は、それに対向する空気吹出口（75）へ流れて全体ケーシング（33）から吹き出される。この実施形態では、全体ケーシング（33）内を空気が一方向へ流れるため、空気がケーシング（33）の内部で抵抗を受け難くなって、ケーシング（33）内を流れやすくなる。
【００８６】
本実施形態では、室内機（30）の全体ケーシング（33）が、室内熱交換器（31）及び上記ファン（32）の設けられる第１ケーシング（51）と、吹出通路（73）及び空気吹出口（75）を有して第１ケーシング（51）に装着される第２ケーシング（71）とを備えている。この実施形態によれば、第２ケーシング（71）が第１ケーシング（51）とは別体のため、既設の室内機に第２ケーシング（71）を取り付けたり、異なる第１ケーシング（51）に取り付ける第２ケーシング（71）を共通化したりすることが可能になる。また、室外機から複数の部屋へつながるダクトを使った空調システムの室内機として、第２ケーシング（71）をダクトに装着することも可能である。
【００８７】
また、本実施形態の室内機は、天井吊り下げ型の室内機であって吹出空気の吹出方向を上向きに調整できるので、配管等がむき出しで天井が高く、室内機（30）より上方の空間が広い室内空間で用いるのに有効である。
【００８８】
−実施形態１の変形例−
〈変形例１〉
図１０に示す変形例１は、吹出通路（73）の形状を図８の実施形態１の形状とは異なるようにした例である。この変形例１の吹出通路（73）では、吹出通路（73）の底面部（78）は、吹出通路（73）の空気流れ方向の下流側に下流底部（78a）を有している。下流底部（78a）は、吹出通路（73）の底面部（78）の下流側の開口端から上流側へ至る所定の範囲のことである。この実施形態では、下流底部（78a）は、上記吹出通路（73）の下流側の開口端から上流側へ、吹出通路（73）の通路長さの約１／３程度の範囲にわたる部分である。なお、この範囲は吹出通路（73）の通路長さの約１／２であってもよいが、狭い範囲である方が、空気の吹出方向を下向きに調整する角度範囲を上向きに調整する角度範囲よりも大きくしやすい。
【００８９】
この変形例１の吹出通路（73）では、第２下端（77）は、高さ方向において下流底部（78a）の最下端よりも上方に位置する。そのため、吹出通路（73）は、下流底部（73）の最下端から第２下端（77）へ向かって斜め上方へ傾斜する傾斜面を有し、この傾斜面が吹出面（84b）を構成している。
【００９０】
また、この変形例1では、上面部（79）は平面と湾曲面の組み合わせで構成されている。底面部（78）は、その全体が、空気の流入側から流出側へ向かって湾曲する湾曲面により構成されている。
【００９１】
第１下端（76）と第２下端（77）の高低差はΔｈ１である。下流底部（78a）の最下端と第２下端（77）の高低差はΔｈ２である。吹出面（84b）の開口端には、実施形態1と同様に、開口面積を広げる方向に傾斜する傾斜面を形成してもよい。
【００９２】
その他の構成は実施形態１と同じである。
【００９３】
この変形例1では、第１下端（76）よりも第２下端（77）が下方に位置し、且つ、吹出通路（73）の底面部（78）のうち、下流底部（78a）の最下端よりも第２下端（77）の高さが高い。この高さ関係により、吹出通路（73）の底面部（78）に沿って流れる空気は、吹出通路（73）を下向きに流れてから、上記最下端を通過すると吹出面（84b）により上向きへ流れ方向を変えて吹き出される。その際、底面部の全体が湾曲面で形成されているので、空気の流れ方向が滑らかに変化する。
【００９４】
この構成によれば、上向きの吹出面（84b）を設けているので、吹出通路（73）により整流された空気の風向を水平よりも上向きに調整可能な風向調節羽根（85）と相まって、空気の吹出方向が上向きで安定しやすくなる。そのため、調和空気が室内を循環しやすくなる。
【００９５】
なお、この変形例１において、第２下端（77）を下流底部（78a）の最下端と同じ高さにしてもよい。この構成では、吹出面（84a）が実施形態１と同様に水平面になる。このように構成しても、作用効果は図１０の変形例１とほぼ同様である。
【００９６】
〈変形例２〉
図１１に示す変形例２は、吹出通路（73）の形状を図８の実施形態１の形状とは異なるようにした例である。この変形例２の吹出通路（73）には、吹出通路（73）を構成する壁面に、空気流れ方向の下流側開口部分の上部が下向きに張り出す張り出し部（80a）が設けられる。張り出し部（80ａ）は、上面部（79）から下方へ張り出している。また、張り出し部（80a）は、水平方向へ延びている。言い換えると、張り出し部（80a）は、吹出通路（73）の空気流れ方向と交差し、かつ鉛直方向と交差する方向へ延びている。ここでいう「水平」の意味は上述したものと同じである。
【００９７】
その他の構成は実施形態１と同じである。
【００９８】
この変形例２では、空気を吹出口（75）から下向きに吹き出す運転を行うときに、吹出通路（73）の上部から吹き出される空気が、張り出し部（80a）に沿って湾曲して下方向へ流れやすくなる。したがって、空気吹出口（75）から下方へ空気の流れが安定する。また、この変形例２においても吹出通路（73）を設けているので、整流されて流れ方向の安定した空気を拡散させずに下方へ吹き出すことが可能になる。
【００９９】
なお、この変形例２においては、張り出し部（80a）を、上面部（78）を構成する壁面と一体の部分として構成しているが、張り出し部（80a）は、上面部（78）を構成する壁面とは別の部品を取り付ける構成にしてもよい。
【０１００】
〈変形例３〉
図１２に示す変形例３に係る室内機（39）は、図４に示す上記実施形態の第１ケーシング（51）と第２ケーシング（71）を一体のケーシング（33）として構成した例である。この変形例３では、吹出通路（73）も第１ユニット（50）に設けられる。
【０１０１】
第１ケーシング（51）と第２ケーシング（71）を一体のケーシング（33）にしている点を除き、この変形例３は、図１〜図９に示す上記実施形態と同様に構成されている。特に、室内熱交換器（31）から空気吹出口（75）へ向かって延びる吹出通路（73）の端部のうち、空気が流入する側の端部の下端である第１下端（76）よりも、空気が流出する側の端部の下端である第２下端（77）が、高さ方向において下方に位置する。また、空気吹出口（75）には、吹出通路（73）から流出する空気の風向を水平よりも上向きに調整可能な風向調節羽根（85）が設けられている。
【０１０２】
その他の構成の詳細については、説明を省略する。
【０１０３】
この変形例３においても、空気の流れ方向における室内熱交換器（31）の下流側に吹出通路（73）が設けられているので、室内熱交換器（31）から流出した空気が拡散せずに吹出通路（73）を通過する。空気は第１下端（77）と第２下端（78）の間の吹出通路（73）で整流される。そして、吹出通路（73）で整流された空気の吹出方向が風向調節羽根（85）で調節される。
【０１０４】
本変形例３でも、吹出通路（73）で空気を整流してから吹出方向を風向調節羽根（85）で調節するため、風向を水平より上向きであっても調節しやすくなる。そして、整流された調和空気を上向きに吹き出すことにより、調和空気が室内機（30）から遠くまで到達しやすくなり、室内を循環しやすくなる。
【０１０５】
《実施形態２》
図１３，図１４に示した実施形態２について説明する。
【０１０６】
この実施形態２は、全体ケーシング（33）が、一つの本体ユニット（50）と、一つの吹出ユニット（70）と、一つの付加ユニット（100）と、一対の化粧カバー（91，92）とを備える。言い換えると、実施形態１の室内機（30）に、さらに付加ユニット（100）が設けられている。付加ユニット（100）は室内機（30）に付加機能を設けるためのユニットである。
【０１０７】
付加ユニット（100）は、第３ケーシング（101）と、第３ケーシング（101）の内部に配置された機能部品（102）を備える。機能部品（102）は、例えば、活性種を含む低温プラズマが生成される放電により空気を浄化する放電部である。図示していないが、付加ユニットには、放電部（102）の動作を制御する制御基板が収容された電装品ボックスが設けられている。第３ケーシング（101）には、吸込空気の塵埃を吸着するフィルタ（図示せず）が設けられる。
【０１０８】
第３ケーシング（101）は、外形が横長直方体状に形成され、本体ユニット（50）の背面に装着される。第３ケーシング（101）は、内部へ空気を吸い込むための上記空気吸込口（103）と、第２ケーシング（101）から第１ケーシング（51）へ空気が流出する通気口（104）とを有する。空気吸込口（103）には上記フィルタが設けられる。この実施形態2では、実施形態1における本体ケーシング（50）の空気吸込口（60）は、通気口（104）と連通する空気流入口となる。
【０１０９】
上記第３ケーシング（101）には、左パネル（105）に、室内空間の外の空気を付加ユニット（100）及び本体ユニット（50）の中へ導入するための換気口（106）が形成されている。室内空間の外の空気は、屋外の空気や天井裏の空気など、温度調整のなされていない空気である。換気口（106）には、室内空間の外の空気をケーシング（33）の内部空間に導入するダクト（図示せず）が接続され、ケーシング（33）の内部が換気される。
【０１１０】
その他の構成は、吹出通路（73）や風向調節羽根（85）を含め、実施形態1と同様に構成されている。
【０１１１】
この実施形態２によれば、室内機（30）に付加ユニット（100）を設けた構成において、実施形態１と同様に、吹出通路（73）で整流された調和空気を上向きに吹き出すことができる。そのため、実施形態1と同様に調和空気が室内機（30）から遠くまで到達しやすくなり、空気が室内を循環しやすくなる。
【０１１２】
その他の効果は実施形態1と同様である。
【０１１３】
《その他の実施形態》
上記実施形態については、以下のような構成としてもよい。
【０１１４】
例えば、上記実施形態において、全体ケーシング（33）の形状は直方体形状に限らず、平面視が六角形や八角形の立体、言い換えると左右の横パネルが複数の立体でもよい。また、ケーシング（33）の前面と背面は必ずしも平行でなくてもよく、右側面と左側面も必ずしも平行でなくてもよい。
【０１１５】
上記実施形態１では、空気吸込口（60）を背面パネル（56）に形成しているが、例えば左右の一方のパネル（57，58）や底板（53）など、他の位置に形成してもよい。
【０１１６】
上記実施形態１では、風向調節羽根（85）が風向を水平よりも上向きに調整可能な角度範囲を、水平を０°として、０°より大きく１０°以下にしているが、範囲の上限は変更してもよい。また、上記実施形態や変形例では、風向調節羽根（85）を複数の平板状の羽根部材（86）で構成しているが、１枚にしたり、形状を変更したりすることも可能である。
【０１１７】
以上、実施形態および変形例を説明したが、特許請求の範囲の趣旨および範囲から逸脱することなく、形態や詳細の多様な変更が可能なことが理解されるであろう。また、以上の実施形態および変形例は、本開示の対象の機能を損なわない限り、適宜組み合わせたり、置換したりしてもよい。
【産業上の利用可能性】
【０１１８】
以上説明したように、本開示は、空気調和装置の室内機について有用である。
【符号の説明】
【０１１９】
10    空気調和装置
30    室内機
31    室内熱交換器（熱交換器）
32    室内ファン（ファン）
33    全体ケーシング（ケーシング）
34    側板
35    ドレンパン
37    立ち上げ部（外縁）
51    第１ケーシング
56    第１背面パネル（側板）
60    空気吸込口
71    第２ケーシング
73    吹出通路
75    空気吹出口
76    第１下端
77    第２下端
78    底面部
78a   下流底部
79    上面部
80a   張り出し部
81    前面パネル（側板）
85    風向調節羽根
86    羽根部材
【図１】
2020085401.tif 000003
【図２】
2020085401.tif 000004
【図３】
2020085401.tif 000005
【図４】
2020085401.tif 000006
【図５】
2020085401.tif 000007
【図６】
2020085401.tif 000008
【図７】
2020085401.tif 000009
【図８】
2020085401.tif 000010
【図９】
2020085401.tif 000011
【図１０】
2020085401.tif 000012
【図１１】
2020085401.tif 000013
【図１２】
2020085401.tif 000014
【図１３】
2020085401.tif 000015
【図１４】
2020085401.tif 000016
【手続補正書】
【提出日】令和2年1月29日(2020.1.29)
【手続補正１】
【補正対象書類名】明細書
【補正対象項目名】全文
【補正方法】変更
【補正の内容】
【発明の詳細な説明】
【技術分野】
【０００１】
本開示は、空気調和装置の室内機に関するものである。
【背景技術】
【０００２】
空気調和装置の室内機（以下、単に室内機ともいう）には、室内空気を吸い込む吸込口と、調和空気を室内に吹き出す空気吹出口とが形成されたケーシングを備えた天井吊り下げ型のものが知られている（例えば、特許文献１参照）。この室内機では、ケーシングの後部の底面に空気吸込口が形成され、前面に空気吹出口が形成されている。ケーシング内には、空気吸込口と空気吹出口の間に、ファンと熱交換器が順に配置されている。
【先行技術文献】
【特許文献】
【０００３】
【特許文献１】特開２０１０−２４９４４７号公報
【発明の概要】
【発明が解決しようとする課題】
【０００４】
特許文献１の室内機では、空気流れ方向における熱交換器の直後に位置する空気吹出口に、空気の流れ方向に向かって下向きに湾曲した風向調節羽根が設けられ、空気を斜め下方へ吹き出すように構成されている。この構成では、吹出角度を調整可能範囲の上限に設定しても、空気が室内機の遠くに到達し難い。そのため、調和空気が室内を循環し難い。
【０００５】
本開示の目的は、より広範囲に空気を吹き出すことができ、空気吹出口から吹き出される調和空気が室内を循環しやすい天井吊り下げ型の室内機を提供することである。
【課題を解決するための手段】
【０００６】
本開示の態様において、室内機の構成要素の方向を表す用語や位置を表す用語は、室内機を空調の対象空間に設置した状態の方向や位置を表すものとする。
【０００７】
本開示の第１の態様は、
複数の側板（34）を有し、該側板（34）の１つに空気吹出口（75）が形成されたケーシング（33）と、
上記ケーシング（33）内に配置される熱交換器（31）と、
上記熱交換器（31）を通過させた空気を上記空気吹出口（75）からケーシング（33）の側方へ吹き出すファン（32）と、
上記空気吹出口（75）に設けられた風向調節羽根（85）と、
を備えた天井吊り下げ型の空気調和装置の室内機を前提とする。
【０００８】
この天井吊り下げ型の空気調和装置の室内機は、
上記熱交換器（31）から上記空気吹出口（75）へ向かって斜め下方に延びる吹出通路（73）を備え、
上記吹出通路（73）の端部のうち、空気が流入する上記熱交換器（31）側の端部の下端を第１下端（76）とし、上記吹出通路（73）の端部のうち、空気が流出する上記空気吹出口（75）側の端部の下端を第２下端（77）とすると、高さ方向において上記第１下端（76）よりも上記第２下端（77）が下方に位置し、
上記吹出通路（73）は、該吹出通路（73）の底部に位置する底面部（78）を有し、上記底面部（78）は、上記吹出通路（73）の空気流れ方向の下流側に水平な吹出面（84a）を有し、
上記風向調節羽根（85）は、上記吹出通路（73）から流出する空気の風向を水平よりも上向きに調整可能である
ことを特徴とする。
【０００９】
第１の態様では、空気の流れ方向における熱交換器（31）の下流側に吹出通路（73）が設けられているので、熱交換器（31）から流出した空気が拡散せずに、吹出通路（73）で整流される。また、この第１の態様では、吹出通路（73）で整流された空気の吹出方向が風向調節羽根（85）で調節される。空気流れ方向における熱交換器（31）の直後に風向調節羽根（85）を設けると、拡散する空気の流れ方向を調節し難いのに対して、第１の態様では、吹出通路（73）で空気を整流してから吹出方向を風向調節羽根（85）で調節するため、風向を調節しやすくなる。
【００１０】
第１の態様では、吹出通路（73）の第２下端（77）を第１下端（76）よりも低くしており、吹出通路（73）が斜め下方へ向かって延びているので、天井吊り下げ型の室内機において、空気を空気吹出口（75）から下向きに吹き出すことができるのに加え、風向調節羽根（85）の角度を調節することにより空気を上向きに吹き出すこともできる。そして、空気を上向きに吹き出すことにより、より広範囲に空気を吹き出すことができ、調和空気が室内機から遠くまで到達しやすくなって、室内を循環しやすくなる。
【００１１】
第１の態様では、第１下端（76）よりも第２下端（77）が下方に位置し、且つ、吹出通路（73）の底面部（78）のうち、空気流れ方向の下流側の部分に水平な吹出面（84a）を有する。この構成により、吹出通路（73）の底面部（78）に沿って流れる空気は、吹出通路（73）を下向きに流れてから、水平へ流れ方向を変えて吹き出される。この構成によれば、吹出通路（73）から流出する空気の風向を水平よりも上向きに調整可能な風向調節羽根（85）と相まって、空気の吹出方向を上向きで安定しやすい。そのため、調和空気が室内機から遠くまで到達しやすくなって調和空気が室内を循環しやすくなる。
【００１２】
第２の態様は、第１の態様において、
上記吹出通路（73）の底面部（78）には、上記空気吹出口（75）側の端部に、上記空気吹出口（75）の開口面積を広げる方向に傾斜する傾斜部（83）が形成されている
ことを特徴としている。
【００１３】
第３の態様は、第１または第２の態様において、
上記風向調節羽根（85）は、上記吹出面（84a）と鉛直方向に重なる位置に配置されている
ことを特徴としている。
【００１４】
第４の態様は、第２の態様において、
上記風向調節羽根（85）は、上記傾斜部（83）と鉛直方向に重なる位置に配置されている
ことを特徴としている。
【００１５】
本開示の第５の態様は、第１から第４の態様の何れか１つにおいて、
上記吹出通路（73）は、上記底面部（78）に対向する上面部（79）を有し、
上記底面部（78）及び／または上面部（79）の少なくとも一部は、空気の流入側から流出側へ向かって湾曲する湾曲面により構成されている
ことを特徴とする。
【００１６】
第５の態様では、底面部（78）及び／または上面部（79）の少なくとも一部を湾曲面にすることにより、空気の流れが円滑になる。この構成によって、吹出通路（73）における整流効果を高められる。
【００１７】
本開示の第６の態様は、第１から第５の態様の何れか１つにおいて、
上記ケーシング（33）内に、上記熱交換器（31）で発生するドレン水を受けるドレンパン（35）を備え、
上記吹出通路（73）は、上記ドレンパン（35）の外縁（37）より空気流れ方向の下流側に配置されている
ことを特徴とする。
【００１８】
第６の態様では、熱交換器（31）を通った空気がドレンパン（35）の外縁（37）を通過してから吹出通路（73）に流入する。この構成によれば、熱交換器（31）の下流側で空気を吹出通路（73）により整流できる。
【００１９】
また、吹出通路（73）の空気流れ方向の上流側の一部が、その空気流れ方向においてドレンパン（35）の外縁（37）より上流側に位置していると、両者の一部が平面視で重なる。その場合、吹出通路（73）とドレンパン（35）とを室内機の高さ方向にずらすために、室内機の高さ寸法が高くなるおそれがある。これに対して、第６の態様では、吹出通路（73）とドレンパン（35）とを室内機の高さ方向にずらすことは不要であり、室内機の高さ寸法を低く抑えられる。
【００２０】
本開示の第７の態様は、第１から第５の態様の何れか１つにおいて、
上記風向調節羽根（85）は、風向を水平よりも上向きに調整する状態での上面が、平坦な面である
ことを特徴とする。
【００２１】
風向調節羽根（85）が空気の流れに沿って下向きに湾曲していると、吹出通路（73）から吹き出される空気を下向きには角度調節しやすいが、上向きに空気を吹き出し難くなる。第７の態様では、風向調節羽根（85）は、風向を水平よりも上向きに調整する状態での上面が、平坦な面である。そのため、この風向調節羽根（85）では、吹出通路（73）から吹き出される空気を下向き及び上向きのいずれにするのも容易である。具体的には、風向調節羽根（85）を下向きに角度調整すると、吹出通路（73）を第１下端（76）から第２下端（77）へ流れる空気を、下向きに吹き出すことができる。風向調節羽根（85）を上向きに角度調整すると、吹出通路（73）を第１下端（76）から第２下端（77）へ流れる空気が、風向調節羽根（85）の平坦な上面に乗って上向きに方向を変えやすい。よって、風向調節羽根（85）により、風向を下向きにも上向きにも容易に調整できる。
【００２２】
本開示の第８の態様は、第１から第７の態様の何れか１つにおいて、
上記風向調節羽根（85）は、上記吹出通路（73）の空気流れ方向と交差し、かつ鉛直方向と交差する方向へ延びる複数の羽根部材（86）を有し、
上記複数の羽根部材（86）が上下に配置されている
ことを特徴とする。
【００２３】
第８の態様では、上下に配置された複数の羽根部材（86）を用いることにより、吹出通路（73）の下部から上部にわたって風向を調節できる。また、４〜５枚程度の複数の羽根部材（86）を用いると、羽根部材（86）の枚数が１枚などで少ない場合よりも、風向を調節しやすくなる。
【００２４】
本開示の第９の態様は、第１から第８の態様の何れか１つにおいて、
上記風向調節羽根（85）が風向を水平よりも上向きに調整可能な角度範囲は、水平を０°とすると、０°より大きく１０°以下である
ことを特徴とする。
【００２５】
第９の態様では、風向調節羽根（85）により、吹出通路（73）から吹き出される空気の方向を、水平から、上向きに１０°の範囲で調節できる。吹出角度が１０°を超えて大きくなると、急角度になりすぎて逆に空気が室内機から遠くへ届き難くなり、室内を調和空気が循環し難くなるのに対し、第９の態様ではそのような問題が生じるのを抑えられる。また、上記角度範囲が０°より大きく１０°以下であるため、吹き出された空気が室内の天井に当たり難い。吹き出された空気が室内の天井に当たると天井が汚れやすいが、この第９の態様によれば、天井の汚れを抑えられる。
【００２６】
本開示の第１０の態様は、第１から第９の態様の何れか１つにおいて、
上記吹出通路（73）を構成する壁面は、空気流れ方向の下流側開口部分の上部が下向きに張り出す張り出し部（80a）を有し、
上記張り出し部（80a）は、上記吹出通路（73）の空気流れ方向と交差し、かつ鉛直方向と交差する方向へ延びている
ことを特徴とする。
【００２７】
第１０の態様では、吹出通路（73）の上部から吹き出される空気が、張り出し部（80a）に沿って湾曲して下方向へ流れやすくなる。したがって、空気吹出口（75）から下方へ空気を吹き出す場合に、空気の流れが安定する。
【００２８】
本開示の第１１の態様は、第１から第１０の態様の何れか１つにおいて、
上記ケーシング（33）には、上記空気吹出口（75）が形成された側板（81）と対向する側板（56）に空気吸込口（60）が形成されている
ことを特徴とする。
【００２９】
第１１の態様では、ケーシング（33）には、互いに対向する側板（81），（56）に空気吹出口（75）と空気吸込口（60）が形成される。空気吸込口（60）から吸い込まれた空気が、対向する側板（81）の空気吹出口（75）へ流れてケーシング（33）から吹き出される。第１１の態様では、ケーシング（33）内を空気が一方向へ流れるため、空気がケーシング（33）の内部で抵抗を受け難くなって、ケーシング（33）内を流れやすくなる。
【００３０】
本開示の第１２の態様は、第１から第１１の態様の何れか１つにおいて、
上記ケーシング（33）は、
上記熱交換器（31）及び上記ファン（32）が設けられる第１ケーシング（51）と、
上記吹出通路（73）及び上記空気吹出口（75）を有し、上記第１ケーシング（51）に装着される第２ケーシング（71）と、を備えている
ことを特徴とする。
【図面の簡単な説明】
【００３１】
【図１】図１は、空気調和装置の構成を概略的に示す冷媒回路図である。
【図２】図２は、実施形態の室内機を前面側の斜め上方から見た斜視図である。
【図３】図３は、室内機の平面図である。
【図４】図４は、図３のIV−IV線断面図である。
【図５】図５は、吹出ユニットを前方斜め上から見た斜視図である。
【図６】図６は、図５のVI−VI線断面図である。
【図７】図７は、吹出ユニットを背面側の斜め上方から視た部分断面斜視図である。
【図８】図８は、吹出通路の概略断面形状と風向調節羽根の動作を示す断面図である。
【図９】図９は、羽根部材の形状を示す拡大断面斜視図である。
【図１０】図１０は、実施形態１の参考技術に係る吹出通路の概略形状を示す断面図である。
【図１１】図１１は、実施形態１の変形例１に係る吹出通路の概略形状を示す断面図である。
【図１２】図１２は、実施形態１の変形例２に係る室内機の断面図である。
【図１３】図１３は、実施形態２に係る室内機を前面側の斜め上方から見た斜視図である。
【図１４】図１４は、図１３のXIV−XIV線断面図である。
【発明を実施するための形態】
【００３２】
《実施形態１》
実施形態１について説明する。本実施形態の空気調和装置（10）は、室内機（30）とこれに接続される室外機（20）とを備え、空調の対象である室内空間の空気調和を行うものである。なお、本明細書において、「上」、「下」、「右」、「左」、「横」、「天板」、「底板」、「側板」、「前面」、「背面」等の方向や位置を示す用語は、いずれも設置状態の室内機（30）を正面側（前面側）から見たときの方向や位置を意味する。また、本明細書において、「対向」は、側板同士などが向かい合っていることを意味するが、平行であることまでは意味しない。
【００３３】
−空気調和装置−
図１〜図９を参照して、空気調和装置（10）について説明する。
【００３４】
図１に示すように、空気調和装置（10）は、室内機（30）と、室外機（20）とを備える。空気調和装置（10）では、圧縮機（21）、四方切換弁（22）、室外熱交換器（23）、膨張弁（24）、および室内熱交換器（31）が冷媒配管で接続され、蒸気圧縮冷凍サイクルを行う冷媒回路（11）が構成されている。
【００３５】
冷媒回路（11）は、室外回路（12）と、室内回路（13）と、液側の第１連絡配管（14）と、ガス側の第２連絡配管（15）とを備えている。第１連絡配管（14）は、室外回路（12）の第１閉鎖弁（16）と室内回路（13）の第１配管継手（18）に接続されている。第２連絡配管（15）は、室外回路（12）の第２閉鎖弁（17）と室内回路（13）の第２配管継手（19）に接続されている。
【００３６】
〈室内機の概略構成〉
室内機（30）は、空気調和の対象である室内空間に設置されるものであって、室内熱交換器（31）と、室内ファン（32）と、ドレンパン（35）とを有する。
【００３７】
室内熱交換器（31）は、内部を流れる冷媒と室内ファン（32）によって供給される室内空気とを熱交換させるものである。室内熱交換器（31）は、例えばフィンアンドチューブ熱交換器によって構成されている。室内熱交換器（31）は、本開示の熱交換器を構成している。
【００３８】
室内ファン（32）は、室内熱交換器（31）に室内空気を供給し、室内熱交換器（31）を通過した空気をさらに室内空間へ供給するためのものである。室内ファン（32）は、本開示のファンを構成している。
【００３９】
〈室外機の概略構成〉
室外機（20）は、室外に設置されるものであって、圧縮機（21）と、四方切換弁（22）と、室外熱交換器（23）と、室外ファン（25）と、膨張弁（24）と、液側の第１閉鎖弁（26）と、ガス側の第２閉鎖弁（27）とを有する。
【００４０】
圧縮機（21）は、室内熱交換器（31）および室外熱交換器（23）のうち蒸発器として機能するものから流出した低圧ガス冷媒を吸入し、これを圧縮することで高温の高圧ガス冷媒を吐出するものである。圧縮機（21）が吐出した高圧ガス冷媒は、室内熱交換器（31）および室外熱交換器（23）のうち放熱器として機能するものに流入する。
【００４１】
四方切換弁（22）は、冷媒回路（11）における冷媒の流れを可逆的に切り替えるためのものである。具体的に、四方切換弁（22）は、室内熱交換器（31）が蒸発器となって空気調和装置（10）が冷房運転を行うための第１状態（図１に実線で示す状態）と、室内熱交換器（31）が放熱器となって空気調和装置（10）が暖房運転を行うための第２状態（図１に破線で示す状態）とに切換可能である。
【００４２】
室外熱交換器（23）は、内部を流れる冷媒と室外ファン（25）によって供給される室外空気とを熱交換させるものである。室外熱交換器（23）は、例えばフィンアンドチューブ熱交換器によって構成されている。
【００４３】
室外ファン（25）は、室外熱交換器（23）に室外空気を供給するためのものである。
【００４４】
膨張弁（24）は、室内熱交換器（31）および室外熱交換器（23）のうち放熱器として機能するものから流出した冷媒を減圧するためのものである。膨張弁（24）は、例えば開度調節可能な電子膨張弁によって構成されている。
【００４５】
〈室内機の具体構成〉
本実施形態の室内機（30）は、天井吊り下げ型であって、室内空間の天井付近に設置される。ここでは、本実施形態の室内機（30）について、図２〜図４を適宜参照しながら説明する。
【００４６】
図２〜図４に示すように、室内機（30）は、全体として扁平な直方体状に形成される。この室内機（30）は、一つの本体ユニット（50）と、一つの吹出ユニット（70）と、一対の化粧カバー（91，92）とを備える。本体ユニット（50）には、室内空間の空気を本体ユニット（50）の中へ吸い込むための空気吸込口（60）が形成されている。吹出ユニット（70）には、室内熱交換器（31）を通過させた調和空気を室内機（30）の側方（前方）へ吹き出して室内空間に供給するための空気吹出口（75）が形成されている。
【００４７】
後述するように、本体ユニット（50）は第１ケーシング（51）を有し、吹出ユニット（70）は第２ケーシング（71）を有している。互いに別体の第１ケーシング（51）と第２ケーシング（71）とにより、本実施形態の室内機（30）の全体ケーシング（33）が構成されている。
【００４８】
全体ケーシング（33）は、複数の側板（34）を有し、そのうち、空気吸込口（60）が設けられた側板（34）と空気吹出口（75）が設けられた側板（34）とが対向している。本開示において、全体ケーシング（33）は、単にケーシングとも表記する。また、本開示では、第１ケーシングの天板、底板、及び側板を、「第１天板、第１底板、第１側板」のように表記し、全体ケーシングの天板、底板、及び側板と区別する（符号省略）。
【００４９】
〈本体ユニット〉
本体ユニット（50）は、直方体形状の第１ケーシング（51）を有する。第１ケーシング（51）は、図示しないフレーム、フレームに取り付けられる第１天板（52）、第１底板（53）、及び第１天板（52）と第１底板（53）との間に配置された複数の第１側板（54）を有する。第１天板（52）は、室内機（30）の据付状態において第１ケーシング（51）の上面を構成する板状部材であり、ケーシング（33）の天板（34a）の一部を構成する。第１底板（53）は、室内機（30）の据付状態において第１ケーシング（51）の下面を構成する板状部材であり、ケーシング（33）の底板（34b）の一部を構成する。本体ユニット（50）の四つの第１側板（54）は、平面視で長辺に沿った一対の側面の一方が前面となって他方が背面となり、平面視で短辺に沿った一対の側面の一方が右側面となって他方が左側面となる。
【００５０】
本体ユニット（50）の第１側板（54）は、室内機（30）の据付状態において前面側に位置する第１前面パネル（55）と、背面側に位置する第１背面パネル（56）と、右側面に位置する第１右パネル（57）と、左側面（52）に位置する第１左パネル（58）とを備える。第１背面パネル（56）と第１前面パネル（55）は互いに対向している。第１右パネル（57）と第１左パネル（58）は互いに対向している。
【００５１】
図４において、この本体ユニット（50）では、第１背面パネル（56）に空気吸込口（60）が設けられ、第１背面パネル（56）に対向する第１前面パネル（55）に空気流出口（59）が設けられている。本体ユニット（50）の内部には、空気吸込口（60）から空気流出口（59）に至る空気通路（61）が形成される。本体ユニット（50）内の空気通路（61）には、室内熱交換器（31）と室内ファン（32）とドレンパン（35）とが収容される。空気通路（61）では、空気吸込口（60）と空気流出口（59）の間において、室内熱交換器（31）が室内ファン（32）よりも風下側に配置される。
【００５２】
室内熱交換器（31）は、本体ユニット（50）の左右方向に延びるように設けられている。室内熱交換器（31）は、図４に示すように、側面視で傾いたＬ字状になるように２つの熱交換面が互いに角度をなして配置された構成である。
【００５３】
図４に示すように、ドレンパン（35）は、第１ケーシング（51）の内部に設けられ、第１底板（53）の上方に配置されている。ドレンパン（35）は、発泡樹脂で形成され、上記室内熱交換器（31）で発生するドレン水（凝縮水）を受けるものである。ドレンパン（35）は、ドレン水を受ける面を上方から見て長方形のドレンパン底部（36）と、ドレンパン底部（36）の外縁となる部分に形成された立ち上げ部（37）とを有する。ドレンパン底部（36）の外縁は、ドレンパン底部（36）の外周に沿った縁の部分のことである。
【００５４】
〈吹出ユニット〉
図２〜図５に示すように、吹出ユニット（70）は、外形が横長直方体状に形成され、本体ユニット（50）の前面に装着される。吹出ユニット（70）は第２ケーシング（71）を有し、第２ケーシング（71）は、その背面が本体ユニット（50）の第１前面パネル（55）と接するように第１ケーシング（51）に取り付けられる。
【００５５】
図４，図５に示すように、吹出ユニット（70）の内部には、吹出通路（73）が形成された通路部材（72）が設けられる。吹出ユニット（70）には、該第２ケーシング（71）の背面側に、第１ケーシング（51）の空気流出口（59）に連通して調和空気が通過する空気入口（74）が形成される。吹出ユニット（70）には、上記背面と対向する前面（81a）を有する前面部材（81）に、調和空気を吹き出すための空気吹出口（75）が形成されている。
【００５６】
〈吹出通路〉
図４，図６〜図８において、吹出通路（73）は、室内熱交換器（31）及び空気入口（74）から空気吹出口（75）へ向かって、全体として斜め下方へ延びる通路であり、発泡樹脂からなる上記通路部材（72）に形成されている。吹出通路（73）の空気流れ方向の上流側の端部に空気入口（74）が形成され、下流側の端部に空気吹出口（75）が形成される。吹出通路（73）は、その全体が、ドレンパン（35）の外縁である立ち上げ部（37）より空気流れ方向の下流側に配置されている。
【００５７】
図８に示すように、上記吹出通路（73）は、室内熱交換器（31）側の開口端部である空気入口（74）の下端の第１下端（76）と、空気吹出口（75）側の開口端部の下端の第２下端（77）とを有する。第２下端は、高さ方向において、第1下端（76）よりも下方に位置する。吹出通路（73）は、室内熱交換器（31）及び空気入口（74）から空気吹出口（75）へ向かって、全体として緩やかに斜め下方へ延び、第1下端（76）と第２下端（77）の間にΔｈの高低差を有する。
【００５８】
吹出通路（73）は、室内機（30）の設置状態において該吹出通路（73）の底部に位置する底面部（78）と、上記底面部（78）に対向する上面部（79）とを有している。吹出ユニット（70）を背面側から視た部分断面斜視図である図７に示すように、吹出通路（73）は、開口形状ないし空気流れ方向に概ね垂直の断面形状が長方形であり、底面部（78）と上面部（79）との間に２つの側面（82）を有する。図６，図7は、一方の側面（82）のみを示す。
【００５９】
底面部（78）と上面部（79）のうち、上面部（79）の空気入口側の端部は曲面により構成されている。このように、底面部（78）及び／または上面部（79）の少なくとも一部は、空気の流入側から流出側へ向かって湾曲する湾曲面により構成される。
【００６０】
吹出通路（73）の底面部（78）には、空気吹出口（75）側の端部に、空気吹出口（75）の開口面積を広げる方向に傾斜する段付きの傾斜部（83）が形成されている。また、吹出通路（73）の底面部（78）には、その傾斜部（83）側の端部に、水平な吹出面（84a）が形成されている。ここでいう「水平」には、鉛直面に対して直角である場合の他に、吹出面（84a）がわずかに傾斜する状態も含まれるものとする。
【００６１】
〈風向調節羽根〉
空気吹出口（75）には、合成樹脂で形成された複数（本実施形態では４枚）の羽根部材（86）からなる風向調節羽根（85）が設けられる。各羽根部材（86）は、細長い長方形の板状の部材である。各羽根部材（86）は、その長手方向が概ね水平となる姿勢で、空気吹出口（75）を左右に横断するように配置される（図２，図５〜図７を参照）。ここで、「概ね水平」は、空気流れ方向と直交し、鉛直方向とも直交する方向を表すが、若干傾斜する方向を含んでもよい。また、ここでいう「直交」は、必ずしも直角のみでなく、わずかに傾斜する状態も含む。４枚の羽根部材（86）は、上下方向に等間隔で配置される。各羽根部材（86）は、その長手方向の両端部が、第２ケーシング（71）の側面（82）に回転可能に支持される。各羽根部材（86）は、それぞれの長手方向に沿って延びる回転軸（C）を中心として、所定の角度範囲で回転可能である。風向調節羽根（85）は、室内機（30）が運転されていない状態で空気吹出口（75）を閉塞する。ここでいう「閉塞」は、若干の隙間が形成される状態でもよい。
【００６２】
吹出ユニット（70）において、各羽根部材（86）を風向調節用モータ（図示せず）によって駆動すると、図８に示すように各羽根部材（86）が回転軸（C）を中心として回転し、各羽根部材（86）の角度が変化する。各羽根部材（86）は、吹出通路（73）から吹き出される空気を案内する。このため、各羽根部材（86）の角度が変化すると、吹出通路（73）から吹き出される空気の向きが上下方向に変化する。
【００６３】
各羽根部材（86）は、吹出通路（73）から流出する空気の方向を、室内機（30）を設置した状態で水平よりも下向きの所定角度から上向きの所定角度までの範囲内で、調整可能に構成されている。この実施形態では、各羽根部材（86）が風向を水平よりも上向きに調整可能な角度範囲θ１は、水平を０°とすると、０°より大きく１０°以下である。各羽根部材（86）は、上述したように風向を水平より下向きにも調整可能に構成され、その角度範囲θ２は０°から５５°に設定されている。
【００６４】
図９に、羽根部材（86）の断面形状を示す。図示するように、各羽根部材（86）は、表裏が湾曲した面ではなく、表裏が平坦な面になった板状部材で形成されている。各羽根部材（86）の表裏の面は、空気吹出口（75）から空気を水平よりも上向きの角度で吹き出す状態で、各羽根部材（86）の上面と下面になる。そのため、各羽根部材（86）を上向きの吹き出し角度に設定した状態で、各羽根部材（86）の上面と下面の両方が湾曲していない平坦な面になる。なお、本開示では、各羽根部材（86）の上面が平坦であればよい。各羽根部材（86）の上下の縁部は、空気吹出口（75）を閉じたときに、隣り合う羽根部材（86）同士が重なる傾斜面（86a）で形成される。
【００６５】
各羽根部材（86）には、空気吹出口（75）を閉じたときの背面に、羽根部材（86）の長手方向へ平行に延びる複数の微細な溝（87）が形成されている。溝（87）が形成された面は、空気吹出口（75）を開いたときに下面となる。従って、室内機（30）の冷房運転時に羽根部材（86）に結露水が付着しても、結露水は各溝（87）に保持される。この実施形態では、空気吹出口（75）を開いた状態の各羽根部材（86）の下面に複数の微細な溝（87）が設けられていることになる。
【００６６】
風向調節羽根（85）は、３枚以下の羽根部材（86）で構成してもよいし、５枚以上の羽根部材（86）で構成してもよい。また、羽根部材（86）の溝（87）は凹凸形状であれば平行な溝でなくてもよく、羽根部材（86）の両面に形成したり、図９とは反対の面にだけ形成したりすることもできる。
【００６７】
〈化粧カバー〉
化粧カバー（91，92）は、細長い直方体形の箱状の部材である。化粧カバー（91，92）は、長辺側の側面の一方と背面とが開口している。また、化粧カバー（91，92）の長さは、本体ユニット（50）の背面から吹出ユニット（70）の前面までの長さと概ね等しい。
【００６８】
化粧カバー（91，92）は、開口した側面が本体ユニット（50）側を向く姿勢で本体ユニット（50）に取り付けられ、本体ユニット（50）の側面と吹出ユニット（70）の側面の両方を覆う。本体ユニット（50）の右側に配置された右化粧カバー（91）は、本体ユニット（50）の右パネル（57）と吹出ユニット（70）の右パネルとを覆う。本体ユニット（50）の左側に配置された左化粧カバー（92）は、本体ユニット（50）の左パネル（58）と吹出ユニット（70）の左パネルとを覆う。右化粧カバー（91）及び左化粧カバー（92）は、全体ケーシング（33）の前後方向へスライド可能に構成されている。右化粧カバー（91）及び左化粧カバー（92）は、全体ケーシング（33）への取り付けを、前方から後方へ所定位置までスライドさせることで行い、全体ケーシング（33）からの取り外しを、逆に後方から前方へスライドさせることで行う。
【００６９】
〈運転動作〉
空気調和装置（10）は、冷房運転と暖房運転を選択的に行う。
【００７０】
冷房運転では、四方切換弁（22）が第１状態に設定され、冷媒回路（11）において冷媒が循環する。そして、室外熱交換器（23）が放熱器として機能し、室内熱交換器（31）が蒸発器として機能する。室内機（30）は、室内空間から吸い込んだ空気を室内熱交換器（31）において冷却し、冷却された空気を室内空間へ吹き出す。
【００７１】
暖房運転では、四方切換弁（22）が第２状態に設定され、冷媒回路（11）において冷媒が循環する。そして、室内熱交換器（31）が放熱器として機能し、室外熱交換器（23）が蒸発器として機能する。室内機（30）は、室内空間から吸い込んだ空気を室内熱交換器（31）において加熱し、加熱された空気を室内空間へ吹き出す。
【００７２】
〈運転時の吹出空気の流れ〉
室内機（30）の運転時は、室内ファン（32）を起動することにより、空気吸込口（60）から全体ケーシング（33）の内部へ吸い込まれた空気が、室内熱交換器（31）を通過することで調和空気となる。調和空気は、室内熱交換器（31）を通過した後、吹出通路（73）を通過し、拡散せずに整流される。吹出通路（73）によって整流された吹出空気は、吹出通路（73）の出口側の開口端部に設けられた空気吹出口（75）から、全体ケーシング（33）の前方（側方）へ吹き出される。
【００７３】
風向調節羽根（85）を吹出角度θ１の範囲（例えば上向きに５°）に設定すると、調和空気は風向調節羽根（85）に沿って水平より上向きに吹き出される。その際、吹出通路（73）に沿って緩やかに斜め下方へ流れてきた調和空気は、水平な吹出面（84a）を通過してから風向調節羽根（85）へ移行する。吹出通路（73）の底面部（78）における吹出面（84a）への移行部分（78a），吹出面（84a），及び風向調節羽根（85）の角度が徐々に変化しているので、調和空気はこれらの部分を滑らかに流れ、空気吹出口（75）から吹き出される。各羽根部材（86）が平板状に形成されているので、吹出通路（73）を流れる空気は各羽根部材（86）の上に乗りやすく、流れ方向が滑らかに上向きへ変化する。
【００７４】
空気吹出口（74）から上方へ、例えばθ＝５°（０°よりも大きく１０°以下の角度範囲）で吹き出された調和空気は、室内機（30）から遠くへ離れた位置まで到達する。例えば、室内機（30）の設置される室内空間が空調能力に対して広すぎないものとする。この場合、室内機（30）が部屋の一つの壁面寄りに設置されていると、上記の角度設定をすることにより、調和空気は、室内機（30）が設置されているのと反対側の壁面まで到達しやすくなる。空気は、この壁面に到達すると、壁面に沿って下降する。一方、室内空気は、室内機（30）の背面から全体ケーシング（33）の中へ吸い込まれるので、室内機（30）が設けられている壁面に沿って上昇する。以上のように、室内では、室内機（30）から吹き出された空気が室内機から遠く離れた上記反対側の壁面まで到達する横方向への空気の流れと、室内機（30）が設置されているのと反対側の壁面に沿って下降する空気の流れと、室内機（30）が設置されている側の壁面に沿って上昇する空気の流れが生じる。そのため、空気が室内を循環しやすくなる。その結果、運転時の室内空気の温度が不均一になるのが抑制される。
【００７５】
室内機（30）の運転時には、室内ファン（32）の風量を最大風量に設定すると、調和空気をより遠くまで届かせることができる。したがって、室内で空気が循環する流れを作りやすくなる。そのため、調和空気の吹出方向を上向きにして室内機（30）を運転するときは、室内ファン（32）の風量を最大風量に設定するのが好ましい。
【００７６】
−実施形態１の効果−
本実施形態では、室内機（30）に、室内熱交換器（31）から空気吹出口（75）へ向かって延びる吹出通路（73）を設けている。そして、吹出通路（73）の端部のうち、空気が流入する上記熱交換器（31）側の端部の下端である第１下端（76）よりも、空気が流出する上記空気吹出口（75）側の端部の下端である第２下端（77）が、高さ方向において下方に位置するように構成している。また、室内機（30）に、吹出通路（73）から流出する空気の風向を水平よりも上向きに調整可能な風向調節羽根（85）を設けている。
【００７７】
ここで、空気流れ方向における室内熱交換器（31）の下流側に空気吹出口（75）が位置する構成において、空気を整流する通路を設けずに、その空気吹出口（75）に単に風向調節羽根（85）を設けると、吹出角度を仮に上向きに設定しても、室内空気（31）を通過した空気が拡散しやすい。そうすると、室内空気（31）から吹き出された空気が室内機の遠くに到達し難い。そのため、調和空気が室内を循環し難くなる。
【００７８】
本実施形態においては、空気の流れ方向における室内熱交換器（31）の下流側に吹出通路（73）が設けられているので、室内熱交換器（31）から流出した空気が拡散せずに吹出通路（73）を通過する。空気は第１下端（77）と第２下端（78）の間の吹出通路（73）で整流され、１つの方向へ向かって流れて行く。そして、吹出通路（73）で整流された空気の吹出方向が風向調節羽根（85）で調節される。このように、本実施形態では、吹出通路（73）で空気を整流してから吹出方向を風向調節羽根（85）で調節するため、風向を調節しやすくなる。また、吹出通路（73）の底面部（78）の出口側の端部に水平な吹出面（84a）を形成している。そのため、空気が、吹出面（84a）より上流の下向きの吹出通路（73）、水平な吹出面（84a）、上向きの風向調節羽根（85）の順に流れ、滑らかに上向きに流れ方向が変化する。このようにして、整流された調和空気が上向きに吹き出されるため、調和空気が室内機（30）から遠くまで到達しやすくなって、室内を循環しやすくなる。その結果、空調運転時に室内の温度が不均一になるのを抑制できる。
【００７９】
また、本実施形態によれば、吹出通路（73）の第２下端（77）を第１下端（76）よりも低くしたので、吹出通路（73）は全体として入口側から出口側へ向かって下方へ傾斜する。したがって、天井吊り下げ型の室内機において、風向調節羽根（85）を下向きの吹出角度も調整できるように構成すれば、空気を空気吹出口（75）から下向きに吹き出すことも容易であり、特に、下向きの吹出角度を上向きの吹出角度よりも大きくすることも容易である。
【００８０】
また、本実施形態によれば、吹出通路（73）の上面部の一部を空気の流入側から流出側へ向かって湾曲する湾曲面により構成している。吹出通路（73）を構成する面がすべて平坦面であると、平坦面同士が連接する屈曲した部分が空気の剥離ポイントになってしまうが、湾曲面を用いることにより空気の剥離が生じ難くなり、空気が吹出通路（73）内を滑らかに流れやすくなる。
【００８１】
本実施形態では、吹出通路（73）が、ドレンパン（35）の外縁（37）より空気流れ方向の下流側に配置されている。この構成によれば、熱交換器（31）を通った空気がドレンパン（35）の外縁（37）を通過してから吹出通路（73）に流入する。したがって、熱交換器（31）の下流側で空気を吹出通路（73）により整流しやすくなる。
【００８２】
また、吹出通路（73）の一部が空気流れ方向においてドレンパン（35）の外縁（37）より上流側に位置していると、両者の一部が平面視で重なる。その場合、吹出通路（73）とドレンパン（35）とを室内機（30）の高さ方向にずらすために、室内機（30）の高さ寸法が高くなってしまうおそれがある。これに対して、本実施形態では、吹出通路（73）の全体が、ドレンパン（35）の外縁の立ち上げ部（37）よりも空気流れ方向の下流側に配置されている。この構成により、吹出通路（73）とドレンパン（35）とを室内機（30）の高さ方向にずらす必要がなく、室内機の高さ寸法を低く抑えられる。
【００８３】
ここで、風向調節羽根（85）が、空気吹出口（75）を開いた状態で空気の流れに沿って例えば下向きに湾曲していると、吹出通路（73）から吹き出される空気を下向きに角度調節しやすいが、上向きには空気を吹き出し難くなる。本実施形態では、風向調節羽根（85）が平板状で、空気吹出口（75）を開いた状態での上面と下面がいずれも平坦な面である。この平板状の風向調節羽根（85）を下向きに角度調整すると、吹出通路（73）を第１下端（76）から第２下端（77）へ流れる空気を、上記角度範囲θ２内で下向きに調整して吹き出すことができる。平板状の風向調節羽根（85）を上向きに角度調整すると、吹出通路（73）を流れる空気が、図８に示すように平板状の風向調節羽根（85）の上面に乗って方向を変えやすいので、上向きの角度調整も容易になる。このように、本実施形態によれば、吹出通路（73）から吹き出される空気を下向き及び上向きのいずれにする場合でも、風向調整が容易である。したがって、本実施形態では、通常の運転時は室内機（30）から下向きに調和空気を吹き出し、ある程度の時間が経つと室内の空気を循環させるために室内機（30）から上向きに空気を吹き出す運転を行うことが可能である。
【００８４】
この実施形態では、風向調節羽根（85）が、吹出通路（73）の空気流れ方向と交差し、かつ鉛直方向と交差する方向へ延びる複数の羽根部材（86）を有し、複数の羽根部材（86）が上下に配置されている。この構成によれば、上下に配置された複数の羽根部材（86）を用いることにより、吹出通路（73）の下部から上部にわたって風向を調節できる。また、４枚程度の複数の羽根部材（86）を用いると、少ない枚数の羽根部材（86）を用いる構成と比較して、風向を調節しやすくなる。さらに、この実施形態では、各羽根部材（86）の上下の縁部を、空気吹出口（75）を閉じたときに隣り合う羽根部材（86）同士が重なる傾斜面（86a）で形成している。そのため、空気吹出口（75）の閉鎖時に各羽根部材（86）の間に生じ得る隙間を塞ぐことが可能になり、室内機（30）の美観を高められる。
【００８５】
本実施形態では、風向調節羽根（85）が風向を水平よりも上向きに調整可能な角度範囲は、水平を０°とすると、０°より大きく１０°以下である。ここで、風向調節羽根（85）の角度が１０°を超えて大きくなると、吹出角度が急角度になりすぎて、吹出空気が逆に室内機から遠くへ届き難くなって、室内を調和空気が循環し難くなる。これに対して、本実施形態によれば、風向調節羽根（85）の角度調節範囲を０°より大きく１０°以下の範囲に設定したので、室内を調和空気が循環し難くなるのを抑制できる。
【００８６】
本実施形態では、全体ケーシング（33）の側板（34）のうち、互いに対向する側板である第１背面パネル（56）と前面部材（81）に、それぞれ、空気吸込口（60）と空気吹出口（75）とが形成されている。空気吸込口（60）から吸い込まれた空気は、それに対向する空気吹出口（75）へ流れて全体ケーシング（33）から吹き出される。この実施形態では、全体ケーシング（33）内を空気が一方向へ流れるため、空気がケーシング（33）の内部で抵抗を受け難くなって、ケーシング（33）内を流れやすくなる。
【００８７】
本実施形態では、室内機（30）の全体ケーシング（33）が、室内熱交換器（31）及び上記ファン（32）の設けられる第１ケーシング（51）と、吹出通路（73）及び空気吹出口（75）を有して第１ケーシング（51）に装着される第２ケーシング（71）とを備えている。この実施形態によれば、第２ケーシング（71）が第１ケーシング（51）とは別体のため、既設の室内機に第２ケーシング（71）を取り付けたり、異なる第１ケーシング（51）に取り付ける第２ケーシング（71）を共通化したりすることが可能になる。また、室外機から複数の部屋へつながるダクトを使った空調システムの室内機として、第２ケーシング（71）をダクトに装着することも可能である。
【００８８】
また、本実施形態の室内機は、天井吊り下げ型の室内機であって吹出空気の吹出方向を上向きに調整できるので、配管等がむき出しで天井が高く、室内機（30）より上方の空間が広い室内空間で用いるのに有効である。
【００８９】
−実施形態１の変形例−
〈参考技術〉
図１０に示す参考技術は、吹出通路（73）の形状を図８の実施形態１の形状とは異なるようにした例である。この変形例１の吹出通路（73）では、吹出通路（73）の底面部（78）は、吹出通路（73）の空気流れ方向の下流側に下流底部（78a）を有している。下流底部（78a）は、吹出通路（73）の底面部（78）の下流側の開口端から上流側へ至る所定の範囲のことである。この実施形態では、下流底部（78a）は、上記吹出通路（73）の下流側の開口端から上流側へ、吹出通路（73）の通路長さの約１／３程度の範囲にわたる部分である。なお、この範囲は吹出通路（73）の通路長さの約１／２であってもよいが、狭い範囲である方が、空気の吹出方向を下向きに調整する角度範囲を上向きに調整する角度範囲よりも大きくしやすい。
【００９０】
この参考技術の吹出通路（73）では、第２下端（77）は、高さ方向において下流底部（78a）の最下端よりも上方に位置する。そのため、吹出通路（73）は、下流底部（73）の最下端から第２下端（77）へ向かって斜め上方へ傾斜する傾斜面を有し、この傾斜面が吹出面（84b）を構成している。
【００９１】
また、この参考技術では、上面部（79）は平面と湾曲面の組み合わせで構成されている。底面部（78）は、その全体が、空気の流入側から流出側へ向かって湾曲する湾曲面により構成されている。
【００９２】
第１下端（76）と第２下端（77）の高低差はΔｈ１である。下流底部（78a）の最下端と第２下端（77）の高低差はΔｈ２である。吹出面（84b）の開口端には、実施形態1と同様に、開口面積を広げる方向に傾斜する傾斜面を形成してもよい。
【００９３】
その他の構成は実施形態１と同じである。
【００９４】
この参考技術では、第１下端（76）よりも第２下端（77）が下方に位置し、且つ、吹出通路（73）の底面部（78）のうち、下流底部（78a）の最下端よりも第２下端（77）の高さが高い。この高さ関係により、吹出通路（73）の底面部（78）に沿って流れる空気は、吹出通路（73）を下向きに流れてから、上記最下端を通過すると吹出面（84b）により上向きへ流れ方向を変えて吹き出される。その際、底面部の全体が湾曲面で形成されているので、空気の流れ方向が滑らかに変化する。
【００９５】
この構成によれば、上向きの吹出面（84b）を設けているので、吹出通路（73）により整流された空気の風向を水平よりも上向きに調整可能な風向調節羽根（85）と相まって、空気の吹出方向が上向きで安定しやすくなる。そのため、調和空気が室内を循環しやすくなる。
【００９６】
なお、この参考技術において、第２下端（77）を下流底部（78a）の最下端と同じ高さにしてもよい。この構成では、吹出面（84a）が実施形態１と同様に水平面になる。このように構成しても、作用効果は図１０の参考技術とほぼ同様である。
【００９７】
〈変形例１〉
図１１に示す変形例１は、吹出通路（73）の形状を図８の実施形態１の形状とは異なるようにした例である。この変形例１の吹出通路（73）には、吹出通路（73）を構成する壁面に、空気流れ方向の下流側開口部分の上部が下向きに張り出す張り出し部（80a）が設けられる。張り出し部（80ａ）は、上面部（79）から下方へ張り出している。また、張り出し部（80a）は、水平方向へ延びている。言い換えると、張り出し部（80a）は、吹出通路（73）の空気流れ方向と交差し、かつ鉛直方向と交差する方向へ延びている。ここでいう「水平」の意味は上述したものと同じである。
【００９８】
その他の構成は実施形態１と同じである。
【００９９】
この変形例１では、空気を吹出口（75）から下向きに吹き出す運転を行うときに、吹出通路（73）の上部から吹き出される空気が、張り出し部（80a）に沿って湾曲して下方向へ流れやすくなる。したがって、空気吹出口（75）から下方へ空気の流れが安定する。また、この変形例１においても吹出通路（73）を設けているので、整流されて流れ方向の安定した空気を拡散させずに下方へ吹き出すことが可能になる。
【０１００】
なお、この変形例１においては、張り出し部（80a）を、上面部（78）を構成する壁面と一体の部分として構成しているが、張り出し部（80a）は、上面部（78）を構成する壁面とは別の部品を取り付ける構成にしてもよい。
【０１０１】
〈変形例２〉
図１２に示す変形例２に係る室内機（39）は、図４に示す上記実施形態の第１ケーシング（51）と第２ケーシング（71）を一体のケーシング（33）として構成した例である。この変形例２では、吹出通路（73）も第１ユニット（50）に設けられる。
【０１０２】
第１ケーシング（51）と第２ケーシング（71）を一体のケーシング（33）にしている点を除き、この変形例２は、図１〜図９に示す上記実施形態と同様に構成されている。特に、室内熱交換器（31）から空気吹出口（75）へ向かって延びる吹出通路（73）の端部のうち、空気が流入する側の端部の下端である第１下端（76）よりも、空気が流出する側の端部の下端である第２下端（77）が、高さ方向において下方に位置する。また、空気吹出口（75）には、吹出通路（73）から流出する空気の風向を水平よりも上向きに調整可能な風向調節羽根（85）が設けられている。
【０１０３】
その他の構成の詳細については、説明を省略する。
【０１０４】
この変形例２においても、空気の流れ方向における室内熱交換器（31）の下流側に吹出通路（73）が設けられているので、室内熱交換器（31）から流出した空気が拡散せずに吹出通路（73）を通過する。空気は第１下端（77）と第２下端（78）の間の吹出通路（73）で整流される。そして、吹出通路（73）で整流された空気の吹出方向が風向調節羽根（85）で調節される。
【０１０５】
本変形例２でも、吹出通路（73）で空気を整流してから吹出方向を風向調節羽根（85）で調節するため、風向を水平より上向きであっても調節しやすくなる。そして、整流された調和空気を上向きに吹き出すことにより、調和空気が室内機（30）から遠くまで到達しやすくなり、室内を循環しやすくなる。
【０１０６】
《実施形態２》
図１３，図１４に示した実施形態２について説明する。
【０１０７】
この実施形態２は、全体ケーシング（33）が、一つの本体ユニット（50）と、一つの吹出ユニット（70）と、一つの付加ユニット（100）と、一対の化粧カバー（91，92）とを備える。言い換えると、実施形態１の室内機（30）に、さらに付加ユニット（100）が設けられている。付加ユニット（100）は室内機（30）に付加機能を設けるためのユニットである。
【０１０８】
付加ユニット（100）は、第３ケーシング（101）と、第３ケーシング（101）の内部に配置された機能部品（102）を備える。機能部品（102）は、例えば、活性種を含む低温プラズマが生成される放電により空気を浄化する放電部である。図示していないが、付加ユニットには、放電部（102）の動作を制御する制御基板が収容された電装品ボックスが設けられている。第３ケーシング（101）には、吸込空気の塵埃を吸着するフィルタ（図示せず）が設けられる。
【０１０９】
第３ケーシング（101）は、外形が横長直方体状に形成され、本体ユニット（50）の背面に装着される。第３ケーシング（101）は、内部へ空気を吸い込むための上記空気吸込口（103）と、第２ケーシング（101）から第１ケーシング（51）へ空気が流出する通気口（104）とを有する。空気吸込口（103）には上記フィルタが設けられる。この実施形態２では、実施形態1における本体ケーシング（50）の空気吸込口（60）は、通気口（104）と連通する空気流入口となる。
【０１１０】
上記第３ケーシング（101）には、左パネル（105）に、室内空間の外の空気を付加ユニット（100）及び本体ユニット（50）の中へ導入するための換気口（106）が形成されている。室内空間の外の空気は、屋外の空気や天井裏の空気など、温度調整のなされていない空気である。換気口（106）には、室内空間の外の空気をケーシング（33）の内部空間に導入するダクト（図示せず）が接続され、ケーシング（33）の内部が換気される。
【０１１１】
その他の構成は、吹出通路（73）や風向調節羽根（85）を含め、実施形態1と同様に構成されている。
【０１１２】
この実施形態２によれば、室内機（30）に付加ユニット（100）を設けた構成において、実施形態１と同様に、吹出通路（73）で整流された調和空気を上向きに吹き出すことができる。そのため、実施形態1と同様に調和空気が室内機（30）から遠くまで到達しやすくなり、空気が室内を循環しやすくなる。
【０１１３】
その他の効果は実施形態１と同様である。
【０１１４】
《その他の実施形態》
上記実施形態については、以下のような構成としてもよい。
【０１１５】
例えば、上記実施形態において、全体ケーシング（33）の形状は直方体形状に限らず、平面視が六角形や八角形の立体、言い換えると左右の横パネルが複数の立体でもよい。また、ケーシング（33）の前面と背面は必ずしも平行でなくてもよく、右側面と左側面も必ずしも平行でなくてもよい。
【０１１６】
上記実施形態１では、空気吸込口（60）を背面パネル（56）に形成しているが、例えば左右の一方のパネル（57，58）や底板（53）など、他の位置に形成してもよい。
【０１１７】
上記実施形態１では、風向調節羽根（85）が風向を水平よりも上向きに調整可能な角度範囲を、水平を０°として、０°より大きく１０°以下にしているが、範囲の上限は変更してもよい。また、上記実施形態や変形例では、風向調節羽根（85）を複数の平板状の羽根部材（86）で構成しているが、１枚にしたり、形状を変更したりすることも可能である。
【０１１８】
以上、実施形態および変形例を説明したが、特許請求の範囲の趣旨および範囲から逸脱することなく、形態や詳細の多様な変更が可能なことが理解されるであろう。また、以上の実施形態および変形例は、本開示の対象の機能を損なわない限り、適宜組み合わせたり、置換したりしてもよい。
【産業上の利用可能性】
【０１１９】
以上説明したように、本開示は、空気調和装置の室内機について有用である。
【符号の説明】
【０１２０】
10    空気調和装置
30    室内機
31    室内熱交換器（熱交換器）
32    室内ファン（ファン）
33    全体ケーシング（ケーシング）
34    側板
35    ドレンパン
37    立ち上げ部（外縁）
51    第１ケーシング
56    第１背面パネル（側板）
60    空気吸込口
71    第２ケーシング
73    吹出通路
75    空気吹出口
76    第１下端
77    第２下端
78    底面部
78a   下流底部
79    上面部
80a   張り出し部
81    前面パネル（側板）
85    風向調節羽根
86    羽根部材
【手続補正２】
【補正対象書類名】特許請求の範囲
【補正対象項目名】全文
【補正方法】変更
【補正の内容】
【特許請求の範囲】
【請求項１】
複数の側板（34）を有し、該側板（34）の１つに空気吹出口（75）が形成されたケーシング（33）と、
上記ケーシング（33）内に配置される熱交換器（31）と、
上記熱交換器（31）を通過させた空気を上記空気吹出口（75）からケーシング（33）の側方へ吹き出すファン（32）と、
上記空気吹出口（75）に設けられた風向調節羽根（85）と、
を備えた天井吊り下げ型の空気調和装置の室内機であって、
上記熱交換器（31）から上記空気吹出口（75）へ向かって斜め下方に延びる吹出通路（73）を備え、
上記吹出通路（73）の端部のうち、空気が流入する上記熱交換器（31）側の端部の下端を第１下端（76）とし、上記吹出通路（73）の端部のうち、空気が流出する上記空気吹出口（75）側の端部の下端を第２下端（77）とすると、高さ方向において上記第１下端（76）よりも上記第２下端（77）が下方に位置し、
上記吹出通路（73）は、該吹出通路（73）の底部に位置する底面部（78）を有し、上記底面部（78）は、上記吹出通路（73）の空気流れ方向の下流側に水平な吹出面（84a）を有し、
上記風向調節羽根（85）は、上記吹出通路（73）から流出する空気の風向を水平よりも上向きに調整可能である
ことを特徴とする天井吊り下げ型の空気調和装置の室内機。
【請求項２】
請求項１において、
上記吹出通路（73）の底面部（78）には、上記空気吹出口（75）側の端部に、上記空気吹出口（75）の開口面積を広げる方向に傾斜する傾斜部（83）が形成されている
ことを特徴とする天井吊り下げ型の空気調和装置の室内機。
【請求項３】
請求項１または２において、
上記風向調節羽根（85）は、上記吹出面（84a）と鉛直方向に重なる位置に配置されている
ことを特徴とする天井吊り下げ型の空気調和装置の室内機。
【請求項４】
請求項２において、
上記風向調節羽根（85）は、上記傾斜部（83）と鉛直方向に重なる位置に配置されている
ことを特徴とする天井吊り下げ型の空気調和装置の室内機。
【請求項５】
請求項１から４の何れか１つにおいて、
上記吹出通路（73）は、上記底面部（78）に対向する上面部（79）を有し、
上記底面部（78）及び／または上面部（79）の少なくとも一部は、空気の流入側から流出側へ向かって湾曲する湾曲面により構成されている
ことを特徴とする天井吊り下げ型の空気調和装置の室内機。
【請求項６】
請求項１から５の何れか１つにおいて、
上記ケーシング（33）内に、上記熱交換器（31）で発生するドレン水を受けるドレンパン（35）を備え、
上記吹出通路（73）は、上記ドレンパン（35）の外縁（37）より空気流れ方向の下流側に配置されている
ことを特徴とする天井吊り下げ型の空気調和装置の室内機。
【請求項７】
請求項１から６の何れか１つにおいて、
上記風向調節羽根（85）は、風向を水平よりも上向きに調整する状態での上面が、平坦な面である
ことを特徴とする天井吊り下げ型の空気調和装置の室内機。
【請求項８】
請求項１から７の何れか１つにおいて、
上記風向調節羽根（85）は、上記吹出通路（73）の空気流れ方向と交差し、かつ鉛直方向と交差する方向へ延びる複数の羽根部材（86）を有し、
上記複数の羽根部材（86）が上下に配置されている
ことを特徴とする天井吊り下げ型の空気調和装置の室内機。
【請求項９】
請求項１から８の何れか１つにおいて、
上記風向調節羽根（85）が風向を水平よりも上向きに調整可能な角度範囲は、水平を０°とすると、０°より大きく１０°以下である
ことを特徴とする天井吊り下げ型の空気調和装置の室内機。
【請求項１０】
請求項１から９の何れか１つにおいて、
上記吹出通路（73）を構成する壁面は、空気流れ方向の下流側開口部分の上部が下向きに張り出す張り出し部（80a）を有し、
上記張り出し部（80a）は、上記吹出通路（73）の空気流れ方向と交差し、かつ鉛直方向と交差する方向へ延びている
ことを特徴とする天井吊り下げ型の空気調和装置の室内機。
【請求項１１】
請求項１から１０の何れか１つにおいて、
上記ケーシング（33）には、上記空気吹出口（75）が形成された側板（81）と対向する側板（56）に空気吸込口（60）が形成されている
ことを特徴とする天井吊り下げ型の空気調和装置の室内機。
【請求項１２】
請求項１から１１の何れか１つにおいて、
上記ケーシング（33）は、
上記熱交換器（31）及び上記ファン（32）が設けられる第１ケーシング（51）と、
上記吹出通路（73）及び上記空気吹出口（75）を有し、上記第１ケーシング（51）に装着される第２ケーシング（71）と、を備えている
ことを特徴とする天井吊り下げ型の空気調和装置の室内機。